(57)【特許請求の範囲】
【請求項１】
ワイヤレス通信のための方法であって、
複数のノードからの１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）を受信することと、
前記ＣｏＭＰ識別にリンクされた前記ＣＳＩ−ＲＳポート上で送信された信号をモニタすることと、
前記複数のノードの各々から、ＣｏＭＰ送信の一部としてブロードキャストページング送信を受信することと、
前記ブロードキャストページング送信を受信した後に少なくとも１つのサービングセルにアクセスすることと
を備える、方法。
【請求項２】
前記モニタすることは、アイドルモードに入った後に実行される、
請求項１に記載の方法。
【請求項３】
前記複数のノードは、異なるセル識別を有するリモート無線ヘッド（ＲＲＨ）を備える、
請求項１に記載の方法。
【請求項４】
前記モニタされた信号に基づいてＣｏＭＰ基準信号受信電力（ＲＳＲＰ）を決定することをさらに備える、
請求項１に記載の方法。
【請求項５】
前記ＣｏＭＰ  ＲＳＲＰの受信信号強度インジケータ（ＲＳＳＩ）に対する比としてＣｏＭＰ基準信号受信品質（ＲＳＲＱ）を計算することをさらに備える、
請求項４に記載の方法。
【請求項６】
前記アクセスすることは、
前記少なくとも１つのサービングセルをサーチすることと、
前記少なくとも１つのサービングセルの構成されたチャネル上でランダムアクセスチャネル（ＲＡＣＨ）を送信することと
を備える、請求項１に記載の方法。
【請求項７】
前記ＲＡＣＨは、前記少なくとも１つのサービングセルの構成に基づく、
請求項６に記載の方法。
【請求項８】
前記アクセスすることは、前記複数のノードの構成に基づいてランダムアクセスチャネル（ＲＡＣＨ）を送信することを備える、
請求項１に記載の方法。
【請求項９】
前記ＳＩＢは、ＣｏＭＰ送信またはユニキャスト送信を通じて受信される
請求項１に記載の方法。
【請求項１０】
前記ＳＩＢは、マスタ情報ブロック（ＭＩＢ）である、
請求項１に記載の方法。
【請求項１１】
ワイヤレス通信のための装置であって、
複数のノードからの１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）を受信するための論理と、
前記ＣｏＭＰ識別にリンクされた前記ＣＳＩ−ＲＳポート上で送信された信号をモニタするための論理と、
前記複数のノードの各々から、ＣｏＭＰ送信の一部としてブロードキャストページング送信を受信するための論理と、
前記ブロードキャストページング送信を受信した後に少なくとも１つのサービングセルにアクセスするための論理と
を備える、装置。
【請求項１２】
前記モニタするための論理は、アイドルモードに入った後に実行される、
請求項１１に記載の装置。
【請求項１３】
前記複数のノードは、異なるセル識別を有するリモート無線ヘッド（ＲＲＨ）を備える、
請求項１１に記載の装置。
【請求項１４】
前記モニタされた信号に基づいてＣｏＭＰ基準信号受信電力（ＲＳＲＰ）を決定するための論理をさらに備える、
請求項１１に記載の装置。
【請求項１５】
前記ＣｏＭＰ  ＲＳＲＰの受信信号強度インジケータ（ＲＳＳＩ）に対する比としてＣｏＭＰ基準信号受信品質（ＲＳＲＱ）を計算するための論理をさらに備える、
請求項１４に記載の装置。
【請求項１６】
前記アクセスするための論理は、
前記少なくとも１つのサービングセルをサーチするための論理と、
前記少なくとも１つのサービングセルの構成されたチャネル上でランダムアクセスチャネル（ＲＡＣＨ）を送信するための論理と
を備える、請求項１１に記載の装置。
【請求項１７】
前記ＲＡＣＨは、前記少なくとも１つのサービングセルの構成に基づく、
請求項１６に記載の装置。
【請求項１８】
前記アクセスするための論理は、前記複数のノードの構成に基づいてランダムアクセスチャネル（ＲＡＣＨ）を送信するための論理を備える、
請求項１１に記載の装置。
【請求項１９】
前記ＳＩＢは、ＣｏＭＰ送信またはユニキャスト送信を通じて受信される
請求項１１に記載の装置。
【請求項２０】
前記ＳＩＢは、マスタ情報ブロック（ＭＩＢ）である、
請求項１１に記載の装置。
【請求項２１】
ワイヤレス通信のための装置であって、
複数のノードからの１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）を受信するための手段と、
前記ＣｏＭＰ識別にリンクされた前記ＣＳＩ−ＲＳポート上で送信された信号をモニタするための手段と、
前記複数のノードの各々から、ＣｏＭＰ送信の一部としてブロードキャストページング送信を受信するための手段と
前記ブロードキャストページング送信を受信した後に少なくとも１つのサービングセルにアクセスするための手段と
を備える、装置。
【請求項２２】
前記モニタすることは、アイドルモードに入った後に実行される、
請求項２１に記載の装置。
【請求項２３】
前記複数のノードは、異なるセル識別を有するリモート無線ヘッド（ＲＲＨ）を備える、
請求項２１に記載の装置。
【請求項２４】
前記モニタされた信号に基づいてＣｏＭＰ基準信号受信電力（ＲＳＲＰ）を決定するための手段をさらに備える、
請求項２１に記載の装置。
【請求項２５】
前記ＣｏＭＰ  ＲＳＲＰの受信信号強度インジケータ（ＲＳＳＩ）に対する比としてＣｏＭＰ基準信号受信品質（ＲＳＲＱ）を計算するための手段をさらに備える、
請求項２４に記載の装置。
【請求項２６】
前記アクセスするための手段は、
前記少なくとも１つのサービングセルをサーチするための手段と、
前記少なくとも１つのサービングセルの構成されたチャネル上でランダムアクセスチャネル（ＲＡＣＨ）を送信するための手段と
を備える、請求項２１に記載の装置。
【請求項２７】
前記ＲＡＣＨは、前記少なくとも１つのサービングセルの構成に基づく、
請求項２６に記載の装置。
【請求項２８】
前記アクセスするための手段は、前記複数のノードの構成に基づいてランダムアクセスチャネル（ＲＡＣＨ）を送信するための手段を備える、
請求項２１に記載の装置。
【請求項２９】
前記ＳＩＢは、ＣｏＭＰ送信またはユニキャスト送信を通じて受信される、請求項２１に記載の装置。
【請求項３０】
前記ＳＩＢは、マスタ情報ブロック（ＭＩＢ）である、
請求項２１に記載の装置。
【請求項３１】
命令を備える、ワイヤレス通信のためのコンピュータプログラムであって、前記命令は、１つまたは複数のプロセッサによって実行され、前記命令は、
複数のノードからの１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）を受信するための命令と、
前記ＣｏＭＰ識別にリンクされた前記ＣＳＩ−ＲＳポート上で送信された信号をモニタするための命令と、
前記複数のノードの各々から、ＣｏＭＰ送信の一部としてブロードキャストページング送信を受信するための命令と、
前記ブロードキャストページング送信を受信した後に少なくとも１つのサービングセルにアクセスするための命令と
を備える、コンピュータプログラム。
【請求項３２】
前記モニタすることは、アイドルモードに入った後に実行される、
請求項３１に記載のコンピュータプログラム。
【請求項３３】
前記複数のノードは、異なるセル識別を有するリモート無線ヘッド（ＲＲＨ）を備える、
請求項３１に記載のコンピュータプログラム。
【請求項３４】
前記モニタされた信号に基づいてＣｏＭＰ基準信号受信電力（ＲＳＲＰ）を決定するための命令をさらに備える、
請求項３１に記載のコンピュータプログラム。
【請求項３５】
前記ＣｏＭＰ  ＲＳＲＰの受信信号強度インジケータ（ＲＳＳＩ）に対する比としてＣｏＭＰ基準信号受信品質（ＲＳＲＱ）を計算するための命令をさらに備える、
請求項３４に記載のコンピュータプログラム。
【請求項３６】
前記アクセスするための命令は、
前記少なくとも１つのサービングセルをサーチするための命令と、
前記少なくとも１つのサービングセルの構成されたチャネル上でランダムアクセスチャネル（ＲＡＣＨ）を送信するための命令と
を備える、請求項３４に記載のコンピュータプログラム。
【請求項３７】
前記ＲＡＣＨは、前記少なくとも１つのサービングセルの構成に基づく、
請求項３６に記載のコンピュータプログラム。
【請求項３８】
前記アクセスするための命令は、前記複数のノードの構成に基づいてランダムアクセスチャネル（ＲＡＣＨ）を送信するための命令を備える、
請求項３４に記載のコンピュータプログラム。
【請求項３９】
前記ＳＩＢは、ＣｏＭＰ送信またはユニキャスト送信を通じて受信される
請求項３１に記載のコンピュータプログラム。
【請求項４０】
前記ＳＩＢは、マスタ情報ブロック（ＭＩＢ）である、
請求項３１に記載のコンピュータプログラム。
【請求項４１】
ワイヤレス通信のための方法であって、
複数のノードにリンクされたセル間協調（ＣｏＭＰ）識別のインジケーションを有するシステム情報ブロック（ＳＩＢ）を受信することと、
前記ＣｏＭＰ識別にリンクされた前記複数のノードの１つまたは複数のノードを検出することと、
前記１つまたは複数のノードの各々の基準信号受信電力（ＲＳＲＰ）を測定することと、
前記１つまたは複数のノードの各々の前記測定されたＲＳＲＰに基づいてＣｏＭＰ  ＲＳＲＰを決定することと、
前記複数のノードの各々から、ＣｏＭＰ送信の一部としてブロードキャストページング送信を受信することと、
前記ブロードキャストページング送信を受信した後に少なくとも１つのサービングセルにアクセスすることと
を備える、方法。
【請求項４２】
前記ＣｏＭＰ  ＲＳＲＰの受信された信号強度インジケータ（ＲＳＳＩ）に対する比としてＣｏＭＰ基準信号受信品質（ＲＳＲＱ）を計算することをさらに備える、請求項４１に記載の方法。
【請求項４３】
前記ＳＩＢは、マスタ情報ブロック（ＭＩＢ）である、
請求項４１に記載の方法。
【請求項４４】
ワイヤレス通信のための装置であって、
複数のノードにリンクされたセル間協調（ＣｏＭＰ）識別のインジケーションを有するシステム情報ブロック（ＳＩＢ）を受信するための論理と、
前記ＣｏＭＰ識別にリンクされた前記複数のノードの１つまたは複数のノードを検出するための論理と、
前記１つまたは複数のノードの各々の基準信号受信電力（ＲＳＲＰ）を測定するための論理と、
前記１つまたは複数のノードの各々の前記測定されたＲＳＲＰに基づいてＣｏＭＰ  ＲＳＲＰを決定するための論理と、
前記複数のノードの各々から、ＣｏＭＰ送信の一部としてブロードキャストページング送信を受信するための論理と、
前記ブロードキャストページング送信を受信した後に少なくとも１つのサービングセルにアクセスするための論理と
を備える、装置。
【請求項４５】
前記ＣｏＭＰ  ＲＳＲＰの受信された信号強度インジケータ（ＲＳＳＩ）に対する比としてＣｏＭＰ基準信号受信品質（ＲＳＲＱ）を計算するための論理をさらに備える、請求項４４に記載の装置。
【請求項４６】
前記ＳＩＢは、マスタ情報ブロック（ＭＩＢ）である、
請求項４４に記載の装置。
【請求項４７】
ワイヤレス通信のための装置であって、
複数のノードにリンクされたセル間協調（ＣｏＭＰ）識別のインジケーションを有するシステム情報ブロック（ＳＩＢ）を受信するための手段と、
前記ＣｏＭＰ識別にリンクされた前記複数のノードの１つまたは複数のノードを検出するための手段と、
前記１つまたは複数のノードの各々の基準信号受信電力（ＲＳＲＰ）を測定するための手段と、
前記１つまたは複数のノードの各々の前記測定されたＲＳＲＰに基づいてＣｏＭＰ  ＲＳＲＰを決定するための手段と、
前記複数のノードの各々から、ＣｏＭＰ送信の一部としてブロードキャストページング送信を受信するための手段と、
前記ブロードキャストページング送信を受信した後に少なくとも１つのサービングセルにアクセスするための手段と
を備える、装置。
【請求項４８】
前記ＣｏＭＰ  ＲＳＲＰの受信された信号強度インジケータ（ＲＳＳＩ）に対する比としてＣｏＭＰ基準信号受信品質（ＲＳＲＱ）を計算するための手段をさらに備える、請求項４７に記載の装置。
【請求項４９】
前記ＳＩＢは、マスタ情報ブロック（ＭＩＢ）である、
請求項４７に記載の装置。
【請求項５０】
命令を備える、ワイヤレス通信のためのコンピュータプログラムであって、前記命令は、１つまたは複数のプロセッサによって実行され、前記命令は、
複数のノードにリンクされたセル間協調（ＣｏＭＰ）識別のインジケーションを有するシステム情報ブロック（ＳＩＢ）を受信するための命令と、
前記ＣｏＭＰ識別にリンクされた前記複数のノードの１つまたは複数のノードを検出するための命令と、
前記１つまたは複数のノードの各々の基準信号受信電力（ＲＳＲＰ）を測定するための命令と、
前記１つまたは複数のノードの各々の前記測定されたＲＳＲＰに基づいてＣｏＭＰ  ＲＳＲＰを決定するための命令と、
前記複数のノードの各々から、ＣｏＭＰ送信の一部としてブロードキャストページング送信を受信するための命令と、
前記ブロードキャストページング送信を受信した後に少なくとも１つのサービングセルにアクセスするための命令と
を備える、コンピュータプログラム。
【請求項５１】
前記ＣｏＭＰ  ＲＳＲＰの受信された信号強度インジケータ（ＲＳＳＩ）に対する比としてＣｏＭＰ基準信号受信品質（ＲＳＲＱ）を計算するための命令をさらに備える、請求項５０に記載のコンピュータプログラム。
【請求項５２】
前記ＳＩＢは、マスタ情報ブロック（ＭＩＢ）である、
請求項５０に記載のコンピュータプログラム。
【請求項５３】
ワイヤレス通信のための方法であって、
ワイヤレスノードが、１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）、および他のワイヤレスノードと協調されたＣｏＭＰ送信の一部としてのブロードキャストページング送信を送信することと、
前記リンクされたＣＳＩ−ＲＳポート上で信号を送信することと
を備える、方法。
【請求項５４】
前記ＣｏＭＰ送信は、単一周波数ネットワーク（ＳＦＮ）送信である、
請求項５３に記載の方法。
【請求項５５】
前記ブロードキャストページング送信は、復調基準信号（ＤＭ−ＲＳ）に基づいて送信される、
請求項５３に記載の方法。
【請求項５６】
前記ワイヤレスノードは、異なるセル識別を有するリモート無線ヘッド（ＲＲＨ）を備える、
請求項５３に記載の方法。
【請求項５７】
前記ブロードキャストページング送信を送信するとすぐに、前記ワイヤレスノードの構成されたチャネル上で受信されたランダムアクセスチャネル（ＲＡＣＨ）を処理することをさらに備える、
請求項５３に記載の方法。
【請求項５８】
ワイヤレス通信のための装置であって、
ワイヤレスノードが、１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）、および他のワイヤレスノードと協調されたＣｏＭＰ送信の一部としてのブロードキャストページング送信を送信するための論理と、
前記リンクされたＣＳＩ−ＲＳポート上で信号を送信するための論理と
を備える、装置。
【請求項５９】
前記ＣｏＭＰ送信は、単一周波数ネットワーク（ＳＦＮ）送信である、
請求項５８に記載の装置。
【請求項６０】
前記ブロードキャストページング送信は、復調基準信号（ＤＭ−ＲＳ）に基づいて送信される、
請求項５８に記載の装置。
【請求項６１】
前記ワイヤレスノードは、異なるセル識別を有するリモート無線ヘッド（ＲＲＨ）を備える、
請求項５８に記載の装置。
【請求項６２】
前記ブロードキャストページング送信を送信するとすぐに、前記ワイヤレスノードの構成されたチャネル上で受信されたランダムアクセスチャネル（ＲＡＣＨ）を処理するための論理をさらに備える、
請求項５８に記載の装置。
【請求項６３】
ワイヤレス通信のための装置であって、
ワイヤレスノードが、１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）、および他のワイヤレスノードと協調されたＣｏＭＰ送信の一部としてのブロードキャストページング送信を送信するための手段と、
前記リンクされたＣＳＩ−ＲＳポート上で信号を送信するための手段と、
を備える、装置。
【請求項６４】
前記ＣｏＭＰ送信は、単一周波数ネットワーク（ＳＦＮ）送信である、
請求項６３に記載の装置。
【請求項６５】
前記ブロードキャストページング送信は、復調基準信号（ＤＭ−ＲＳ）に基づいて送信される、
請求項６３に記載の装置。
【請求項６６】
前記ワイヤレスノードは、異なるセル識別を有するリモート無線ヘッド（ＲＲＨ）を備える、
請求項６３に記載の装置。
【請求項６７】
前記ブロードキャストページング送信を送信するとすぐに、前記ワイヤレスノードの構成されたチャネル上で受信されたランダムアクセスチャネル（ＲＡＣＨ）を処理するための手段をさらに備える、
請求項６３に記載の装置。
【請求項６８】
命令を備える、ワイヤレス通信のためのコンピュータプログラムであって、前記命令は、１つまたは複数のプロセッサによって実行され、前記命令は、
ワイヤレスノードが、１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）、および他のワイヤレスノードと協調されたＣｏＭＰ送信の一部としてのブロードキャストページング送信を送信するための命令と、
前記リンクされたＣＳＩ−ＲＳポート上で信号を送信するための命令と、
を備える、コンピュータプログラム。
【請求項６９】
前記ＣｏＭＰ送信は、単一周波数ネットワーク（ＳＦＮ）送信である、
請求項６８に記載のコンピュータプログラム。
【請求項７０】
前記ブロードキャストページング送信は、復調基準信号（ＤＭ−ＲＳ）に基づいて送信される、
請求項６８に記載のコンピュータプログラム。
【請求項７１】
前記ワイヤレスノードは、異なるセル識別を有するリモート無線ヘッド（ＲＲＨ）を備える、
請求項６８に記載のコンピュータプログラム。
【請求項７２】
前記ブロードキャストページング送信を送信するとすぐに、前記ワイヤレスノードの構成されたチャネル上で受信されたランダムアクセスチャネル（ＲＡＣＨ）を処理するための命令をさらに備える、
請求項６８に記載のコンピュータプログラム。
【発明の詳細な説明】
【関連出願】
【０００１】
関連出願の相互参照  
本出願は、その全体が参照により本明細書に組み込まれる、２０１１年２月２２日に出願された米国仮特許出願第６１／４４５，４１１号に対する優先権を主張する。
【技術分野】
【０００２】
開示のある態様は、概してワイヤレス通信に関し、特に、ページングおよびアイドルモード動作のためにセル間協調（ＣｏＭＰ）動作を可能にする技術に関する。
【背景技術】
【０００３】
ワイヤレス通信システムは、電話通信、ビデオ、データ、メッセージング、およびブロードキャストなどの様々な電気通信サービスを提供するために幅広く展開されている。一般的なワイヤレス通信システムは、利用可能なシステムリソース（例えば、帯域幅、送信電力）を共有することにより、複数のユーザとの通信をサポートすることが可能な多元接続技術を用いることができる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ：time division synchronous code division multiple access）システムを含む。
【０００４】
これらの多元接続技術は、種々のワイヤレスデバイスが都市、国家、地域、および地球全体までものレベルで通信することを可能にする共通プロトコルを提供するために、様々な電気通信規格において採用されてきた。台頭してきた電気通信規格の例は、ロングタームエボリューション（ＬＴＥ）である。ＬＴＥは、第３世代パートナーシッププロジェクト（３ＧＰＰ）によって発表されたユニバーサルモバイルテレコミュニケーションシステム（ＵＭＴＳ）モバイル規格を向上させたもののセットである。それは、スペクトル効率を改善することによってモバイルブロードバンドインターネットアクセスをより快適にサポートし、コストを下げ、サービスを向上させ、新しいスペクトルを利用し、および、下りリンク（ＤＬ）にＯＦＤＭＡを、上りリンク（ＵＬ）にＳＣ−ＦＤＭＡを使用し、多入力多出力（ＭＩＭＯ）アンテナ技術を使用して、より適切に他のオープン規格に組み込まれるように設計されている。しかしながら、モバイルブロードバンドアクセスの需要が増加し続けるのに伴い、ＬＴＥ技術にはさらなる改良が必要とされている。望ましくは、これらの改良は、これらの技術を用いる他の多元接続技術および電気通信規格に適用可能であるべきである。
【発明の概要】
【０００５】
本開示のある態様は、ワイヤレス通信のための方法を提供する。方法は、概して、複数のノードからの１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）を受信することと、ＣｏＭＰ識別にリンクされたＣＳＩ−ＲＳポート上で送信された信号をモニタすることとを含む。
【０００６】
ある態様は、ワイヤレス通信のための装置を提供する。装置は、概して、複数のノードからの１つまたは複数のＣＳＩ−ＲＳポートにリンクされたＣｏＭＰ識別のインジケーションを有するＳＩＢを受信するための論理と、ＣｏＭＰ識別にリンクされたＣＳＩ−ＲＳポート上で送信された信号をモニタするための論理とを含む。
【０００７】
ある態様は、ワイヤレス通信のための装置を提供する。装置は、概して、複数のノードからの１つまたは複数のＣＳＩ−ＲＳポートにリンクされたＣｏＭＰ識別のインジケーションを有するＳＩＢを受信するための手段と、ＣｏＭＰ識別にリンクされたＣＳＩ−ＲＳポート上で送信された信号のモニタのための手段とを含む。
【０００８】
ある態様は、その上に格納された命令を有するコンピュータ可読媒体を備える、ワイヤレス通信のためのコンピュータプログラム製品を提供する。ここで、命令は、１つまたは複数のプロセッサによって実行可能である。命令は、概して、複数のノードからの１つまたは複数のＣＳＩ−ＲＳポートにリンクされたＣｏＭＰ識別のインジケーションを有するＳＩＢを受信するための命令と、ＣｏＭＰ識別にリンクされたＣＳＩ−ＲＳポート上で送信された信号をモニタするための命令とを含む。
【０００９】
本開示のある態様は、ワイヤレス通信のための方法を提供する。方法は、概して、複数のノードにリンクされるセル間協調識別のインジケーションを有するＳＩＢを受信することと、ＣｏＭＰ識別にリンクされた複数のノードのうちの１つまたは複数のノードを検出することと、１つまたは複数のノードの各々の基準信号受信電力（ＲＳＲＰ）を測定することと、１つまたは複数のノードの各々の測定されたＲＳＲＰに基づいてＣｏＭＰ  ＲＳＲＰを決定することとを含む。
【００１０】
ある態様は、ワイヤレス通信のための装置を提供する。装置は、概して、複数のノードにリンクされるセル間協調識別のインジケーションを有するＳＩＢを受信するための論理と、ＣｏＭＰ識別にリンクされた複数のノードのうちの１つまたは複数のノードを検出するための論理と、１つまたは複数のノードの各々の基準信号受信電力（ＲＳＲＰ）を測定するための論理と、１つまたは複数のノードの各々の測定されたＲＳＲＰに基づいてＣｏＭＰ  ＲＳＲＰを決定するための論理とを含む。
【００１１】
ある態様は、ワイヤレス通信のための装置を提供する。装置は、概して、複数のノードにリンクされるセル間協調識別のインジケーションを有するＳＩＢを受信するための手段と、ＣｏＭＰ識別にリンクされた複数のノードのうちの１つまたは複数のノードを検出するための手段と、１つまたは複数のノードの各々の基準信号受信電力（ＲＳＲＰ）を測定するための手段と、１つまたは複数のノードの各々の測定されたＲＳＲＰに基づいてＣｏＭＰＲＳＲＰを決定するための手段とを含む。
【００１２】
ある態様は、その上に格納された命令を有するコンピュータ可読媒体を備える、ワイヤレス通信のためのコンピュータプログラム製品を提供する。ここで、命令は、１つまたは複数のプロセッサによって実行可能である。命令は、概して、複数のノードにリンクされるセル間協調識別のインジケーションを有するＳＩＢを受信するための命令と、ＣｏＭＰ識別にリンクされた複数のノードのうちの１つまたは複数のノードを検出するための命令と、１つまたは複数のノードの各々の基準信号受信電力（ＲＳＲＰ）を測定するための命令と、１つまたは複数のノードの各々の測定されたＲＳＲＰに基づいてＣｏＭＰＲＳＲＰを決定するための命令とを含む。
【００１３】
本開示のある態様は、ワイヤレス通信のための方法を提供する。方法は、概して、無線ノードが、１つまたは複数のＣＳＩ−ＲＳポートにリンクされたＣｏＭＰ識別のインジケーションを有するＳＩＢを送信することと、リンクされたＣＳＩ−ＲＳポート上で信号を送信することとを含む。
【００１４】
ある態様は、ワイヤレス通信のための装置を提供する。装置は、概して、無線ノードが、１つまたは複数のＣＳＩ−ＲＳポートにリンクされたＣｏＭＰ識別のインジケーションを有するＳＩＢを送信するための論理と、リンクされたＣＳＩ−ＲＳポート上で信号を送信するための論理とを含む。
【００１５】
ある態様は、ワイヤレス通信のための装置を提供する。装置は、概して、無線ノードが、１つまたは複数のＣＳＩ−ＲＳポートにリンクされたＣｏＭＰ識別のインジケーションを有するＳＩＢを送信するための手段と、リンクされたＣＳＩ−ＲＳポート上で信号を送信するための手段とを含む。
【００１６】
ある態様は、その上に格納された命令を有するコンピュータ可読媒体を備える、ワイヤレス通信のためのコンピュータプログラム製品を提供する。ここで、命令は、１つまたは複数のプロセッサによって実行可能である。命令は、概して、無線ノードが、１つまたは複数のＣＳＩ−ＲＳポートにリンクされたＣｏＭＰ識別のインジケーションを有するＳＩＢを送信するための命令と、リンクされたＣＳＩ−ＲＳポート上で信号を送信するための命令とを含む。
【図面の簡単な説明】
【００１７】
【図１】図１は、本開示のある態様に従って、処理システムを用いる装置のためのハードウェア実装の例を例証する図である。
【図２】図２は、本開示のある態様に従って、ネットワークアーキテクチャの例を説明する図である。
【図３】図３は、本開示のある態様に従って、アクセスネットワークの例を説明する図である。
【図４】図４は、本開示のある態様に従って、アクセスネットワークで使用するためのフレーム構成の例を説明する図である。
【図５】図５は、本開示のある態様に従って、ＬＴＥにおけるＵＬのための例示のフォーマットを示す。
【図６】図６は、本開示のある態様に従って、ユーザプレーンおよび制御プレーンに対する無線プロトコルアーキテクチャの例を説明する図である。
【図７】図７は、本開示のある態様に従って、アクセスネットワークにおける発展型ノードＢおよびユーザ機器の例を説明する図である。
【図８】図８は、本開示のある態様に従って、マクロのノードおよび多数のリモート無線ヘッド（ＲＲＨ）を有するネットワークを説明する。
【図９】図９は、本開示のある態様に従って、ページングおよびアイドルモード動作のためのＣｏＭＰ動作を可能にするための例示の動作を説明する。
【図９Ａ】図９Ａは、本開示のある態様に従って、図９で説明された動作を実行することができる例示のコンポーネントを説明する。
【図１０】図１０は、本開示のある態様に従って、ページングとアイドルモード動作のためのＣｏＭＰ動作を行なうための例示の動作を説明する。
【図１０Ａ】図１０Ａは、本開示のある態様に従って、図１０で説明された動作を実行することができる例示のコンポーネントを説明する。
【図１１】図１１は、本開示のある態様に従って、ＣｏＭＰ送信に従って、新規のＲＳＲＰを生成するために既存のＲＳＲＰ測定値の後処理を実行するための例示の動作を説明する。
【図１１Ａ】図１１Ａは、本開示のある態様に従って、図１１で示された動作を実行することができる例示のコンポーネントを説明する。
【発明を実施するための形態】
【００１８】
ワイヤレスネットワークは、マクロセルカバレージを拡張するためにリモート無線ヘッド（ＲＲＨ）を含みうる。マクロセルは、例えば、光ファイバによって、ＲＲＨに接続され、マクロセルとＲＲＨとの間に無視できるレイテンシがありうる。異なるセル特有のＲＳ送信を有するＲＲＨ展開は、アイドル状態モビリティにチャレンジを示す、多くのセルエッジを生成しうる。本開示のある態様は、アイドルのユーザ機器（ＵＥ）サポートのためのセル間協調（ＣｏＭＰ）送信を利用し、いくつかの態様では、新規の無線リンクモニタリング（ＲＬＭ）技術を導入しうる。結果として、本明細書に示された技術は、より良いアイドルモード性能および／またはより良いＲＬＭ性能を達成するために役立ちうる。
【００１９】
添付された図面に関連して以下に記載される詳細な説明は、様々な構成の説明として意図され、ここに説明される概念が実施されうる唯一の構成を表すようには意図されない。詳細な説明は、さまざまな概念の完全な理解を提供する目的のために特定の詳細を含む。しかしながら、これらの概念がこれらの具体的な詳細なしに実現されうることを当業者は理解するだろう。いくつかの例では、そのような概念をあいまいにすることを避けるために、周知の構造およびコンポーネントが、ブロック図の形態で示される。
【００２０】
通信システムのいくつかの態様が、様々な装置および方法を参照してこれより示される。これらの装置及び方法は以下の詳細な説明で説明され、様々なブロック、モジュール、コンポーネント、回路、ステップ、プロセス、アルゴリズムなど（集合的に「要素」として称される）によって添付の図面において例示されることになる。これらのエレメントは、電子ハードウェア、コンピュータソフトウェア、またはそれらの任意の組み合わせを使用して実現されることができる。そのようなエレメントがハードウェアとして実現されるかソフトウェアとして実現されるかは、システム全体に課された特定の用途および設計の制約に依存する。
【００２１】
例として、エレメントまたはエレメントの任意の一部、あるいはエレメントの任意の組み合わせは、１つまたは複数のプロセッサを含む「処理システム」を用いて実現されうる。プロセッサの例は、本開示全体を通して説明されるさまざまな機能を実行するように構成される、マイクロプロセッサ、マイクロ制御装置、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、離散ハードウェア回路および他の適切なハードウェアを含む。処理システムにおける１つまたは複数のプロセッサは、ソフトウェアを実行することができる。ソフトウェアは、ソフトウェア、ファームウェア、ミドルウェア、マイクロコード、ハードウェア記述言語と呼ばれる場合も、それ以外の名称で呼ばれる場合も、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するものと広く解釈されるべきである。ソフトウェアは、コンピュータ可読媒体に常駐することができる。コンピュータ可読媒体は、非一時的なコンピュータ可読媒体であることができる。非一時的なコンピュータ可読媒体は、例として、コンピュータによってアクセスおよび読み取られうるソフトウェアおよび／または命令を記憶するための、磁気記憶デバイス（たとえば、ハードディスク、フロッピー（登録商標）ディスク、磁気ストリップ）、光学ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダム・アクセス・メモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ）、レジスタ、リムーバブル・ディスク、および任意の他の適切な媒体を含む。コンピュータ可読媒体は、処理システム内に常駐するか、処理システムの外側に常駐するか、処理システムを含む複数のエンティティにわたって分散されうる。コンピュータ可読媒体は、コンピュータプログラム製品に組み込まれることができる。例として、コンピュータプログラム製品は、パッケージング材料内のコンピュータ可読媒体を含むことができる。当業者は、システム全体に課された特定の用途および全体的な設計の制約に依存して、本開示全体を通して提示される説明される機能をどのように実現することが最善かを認識するだろう。
【００２２】
１つまたは複数の典型的な実施形態では、説明された機能は、ハードウェア、ソフトウェア、ファームウェア、あるいはこれらの任意の組み合わせで実装されうる。ソフトウェアで実現される場合、これら機能は、コンピュータ可読媒体上に格納されるか、あるいは、コンピュータ可読媒体上の１つまたは複数の命令群またはコードとして符号化されうる。コンピュータ可読媒体は、コンピュータ記憶媒体を含む。記憶媒体は、コンピュータによってアクセスされうる利用可能な任意の媒体である。例として、限定することなく、このようなコンピュータ可読媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラムコード手段を命令群またはデータ構造の形式で搬送または格納するために使用され、しかも、コンピュータによってアクセスされうるその他任意の媒体を備えうる。本明細書で使用したようなディスク（ｄｉｓｋおよびｄｉｓｃ）は、コンパクトディスク（ＣＤ）、レーザディスク、光ディスク、デジタル多用途ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。上記の組み合わせもまた、コンピュータ可読媒体の範囲内に含まれるべきである。
【００２３】
図１は、処理システム１１４を用いる装置１００に対するハードウェア実装の例示を説明する概念図である。この例示において、処理システム１１４は、概して、バス１０２によって表される、バスアーキテクチャが実装されうる。バス１０２は、処理システム１１４の特定の用途と全体的な設計の制約に依存して、任意の数の相互接続バスおよびブリッジを含むことができる。バス１０２は、プロセッサ１０４によって一般的に表された１つまたは複数のプロセッサや、コンピュータ可読媒体１０６によって一般的に表されたコンピュータ可読媒体を含む、さまざまな回路を共にリンクさせる。バス１０２はまた、タイミングソース、周辺機器、電圧レギュレータ、電力管理回路といったさまざまな他の回路をリンクさせることもできるが、これらは、当業者において周知であるので、これ以上説明しない。バスインターフェース１０８は、バス１０２とトランシーバ１１０との間のインターフェースを提供する。トランシーバ１１０は、伝送媒体を介してさまざまな他の装置と通信するための手段を提供する。装置の性質に依存して、ユーザインターフェース１１２、たとえば、キーパッド、ディスプレイ、スピーカ、マイクロフォン、ジョイスティックもまた提供されることができる。
【００２４】
プロセッサ１０４は、バス１０２を管理すること、および一般的な処理を担っており、コンピュータ可読媒体１０６に記憶されるソフトウェアの実行を含む。ソフトウェアは、プロセッサ１０４によって実行されるとき、処理システム１１４に、後述するさまざまな機能を何らかの特定の装置に対して実行させるコンピュータ可読媒体１０６はまた、ソフトウェアを実行する際にプロセッサ１０４によって操作されるデータを記憶するために使用されることもできる。
【００２５】
図２は、さまざまな装置１００（図１を参照）を用いるＬＴＥネットワークアーキテクチャ２００を示す図である。ＬＴＥネットワークアーキテクチャ２００は、発展型パケットシステム（ＥＰＳ：Evolved Packet System）２００と呼ばれることができる。ＥＰＳ２００は、１つまたは複数のユーザ機器（ＵＥ）２０２、発展型ＵＭＴＳテレストリアル無線アクセスネットワーク（Ｅ−ＵＴＲＡＮ）２０４、発展型パケットコア（ＥＰＣ）２１０、ホーム加入者サーバ（ＨＳＳ）２２０、およびオペレータのＩＰサービス２２２を含むことができる。ＥＰＳは、他のアクセスネットワークと相互接続することができるが、簡潔化のために、それらのエンティティ／インターフェースは図示しない。図示されているように、ＥＰＳはパケット交換サービスを提供するが、当業者が容易に理解するように、本開示全体を通して提示されるさまざまな概念は、回路交換サービスを提供するネットワークに拡張されることができる。
【００２６】
Ｅ−ＵＴＲＡＮは、発展型ノードＢ（ｅＮＢ：evolved Node B）２０６および他のｅＮＢ２０８を含む。ｅＮＢ２０６は、ＵＥ２０２に対するユーザおよび制御プレーンプロトコルターミネーションを提供する。ＮＢ２０６は、Ｘ２インターフェース（すなわち、バックホール）を介して、他のｅＮＢ２０８に接続されることができる。ｅＮＢ２０６はまた、当業者によって、基地局、基地トランシーバ局、無線基地局、無線トランシーバ、トランシーバ機能、ベーシックサービスセット（ＢＳＳ：basic service set）、拡張サービスセット（ＥＳＳ：extended service set）、または何らかの他の適切な専門用語で呼ばれることができる。ｅＮＢ２０６は、ＵＥ２０２のためのＥＰＣ２１０へのアクセスポイントを提供する。ＵＥ２０２の例は、セルラー電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（たとえば、ＭＰ３プレイヤ）、カメラ、ゲーム機器、または任意の他の同様の機能を有するデバイスが含まれる。ＵＥ２０２は、当業者によって、モバイル局、加入者局、モバイルユニット、加入者ユニット、無線ユニット、リモートユニット、モバイルデバイス、無線デバイス、無線通信デバイス、リモートデバイス、モバイル加入者局、アクセス端末、モバイル端末、ワイヤレス端末、リモート端末、ハンドセット、ユーザエージェント、モバイルクライアント、クライアント、あるいはその他適切な用語でも称されうる。
【００２７】
ｅＮＢ２０６は、Ｓ１インターフェースによってＥＰＣ２１０に接続される。ＥＰＣ２１０は、モビリティ管理エンティティ（ＭＭＥ）２１２と、その他のＭＭＥ２１４と、サービングゲートウェイ２１６と、パケットデータネットワーク（ＰＤＮ）ゲートウェイ２１８とを含む。ＭＭＥ２１２は、ＵＥ２０２とＥＰＣ２１０との間のシグナリングを処理する制御ノードである。一般的に、ＭＭＥ２１２は、ベアラおよび接続管理を提供する。全てのユーザＩＰパケットは、自身がＰＤＮゲートウェイ２１８に接続されたサービングゲートウェイ２１６を通じて転送される。ＰＤＮゲートウェイ２１８は、ＵＥ  ＩＰアドレス割り当てと、その他の機能とを提供する。ＰＤＮゲートウェイ２１８は、オペレータのＩＰサービス２２２に接続される。オペレータのＩＰサービス２２２は、インターネットと、イントラネットと、ＩＰマルチメディアサブシステム（ＩＭＳ）と、ＰＳストリーミングサービス（ＰＳＳ）とを含む。
【００２８】
図３は、ＬＴＥネットワークアーキテクチャにおける例示のアクセスネットワークを説明する図である。この例では、アクセスネットワーク３００は、多数のセルラー領域（セル）３０２に分割される。１つまたは複数のより低い電力クラスのｅＮＢ３０８、３１２は、それぞれ、セル３０２のうちの１つまたは複数のオーバーラップするセルラー領域３１０、３１４を有しうる。より低い電力クラスのｅＮＢ３０８、３１２は、フェムトセル（例えば、ｅＮＢ（ＨｅＮＢ））、ピコセル、あるいはマイクロセルでありうる。より高い電力クラスのｅＮＢ、すなわちマクロｅＮＢ３０４が、セル３０２に割り当てられ、セル３０２におけるすべてのＵＥ３０６のために、ＥＰＣ２１０へのアクセスポイントを提供するように構成される。アクセスネットワーク３００のこの例には集中制御装置が存在しないが、代替の構成では、集中制御装置が使用されることができる。ｅＮＢ３０４は、ラジオベアラ制御、承認制御、モビリティ制御、スケジューリング、セキュリティ、およびサービングゲートウェイ２１６に対する接続性を含むすべての無線関連機能を担う（図２を参照）。
【００２９】
アクセスネットワーク３００によって用いられる変調及び複数のアクセススキームは、配置されている特定の電気通信規格により変わり得る。ＬＴＥアプリケーションにおいて、周波数分割複信（ＦＤＤ）及び時分割複信（ＴＤＤ）の両方をサポートするために、ＯＦＤＭはＤＬ上で使用され、ＳＣ−ＦＤＭＡはＵＬ上で使用される。以下の詳細な説明から当業者が容易に理解するように、本明細書に提示されるさまざまな概念は、ＬＴＥアプリケーションによく適している。しかしながら、これらの概念は、その他の変調および多元接続技術を用いたその他の電気通信規格にまで容易に拡張されうる。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張されることができる。ＥＶ−ＤＯおよびＵＭＢは、規格のうちのＣＤＭＡ２０００ファミリの一部として第３世代パートナーシッププロジェクト２（３ＧＰＰ２）により発表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ）、およびＴＤ−ＳＣＤＭＡのようなＣＤＭＡの他の変形例を用いるユニバーサル地上無線アクセス（ＵＴＲＡ）、ＴＤＭＡを用いる移動体通信のためのグローバルシステムフォーモバイルコミュニケーション（ＧＳＭ（登録商標））、ＯＦＤＭＡを用いる、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭに拡張されることもできる。ＵＴＲＡ、Ｅ−ＵＴＲＡ、ＵＭＴＳ、ＬＴＥ、およびＧＳＭは、３ＧＰＰの組織からの文書において説明されている。ＣＤＭＡ２０００およびＵＭＢは、３ＧＰＰ２の組織からの文書において説明されている。用いられる実際のワイヤレス通信規格および多元接続技術は、システムに課された特定の用途および全体的な設計の制約に依存することになる。
【００３０】
ｅＮＢ３０４は、ＭＩＭＯ技術をサポートする複数のアンテナを有し得る。ＭＩＭＯ技術の使用は、ｅＮＢ３０４に、空間領域を利用して、空間多重、ビームフォーミング、および送信ダイバーシティをサポートすることを可能にさせる。
【００３１】
データストリームは、データレートを増大させるために単一のＵＥ３０６に送信されるか、あるいは、全体システム容量を増大させるために複数のＵＥ３０６に送信されうる。データストリームは、データレートを増大させるために単一のＵＥ３０６に送信されるか、あるいは、全体システム容量を増大させるために複数のＵＥ３０６に送信されうる。これは、それぞれのデータストリームを空間的にプリコーディングし（つまり、振幅及び位相のスケーリングを適用し）、その後ダウンリンク上の複数の送信アンテナを通じて空間的に各々プリコーディングされたストリームを送信することによって達成される。空間的にプリコーディングされたデータストリームは、異なる空間的なシグネチャを有する（１つまたは複数の）ＵＥ３０６に到着し、このことは、（１つまたは複数の）ＵＥ３０６のそれぞれがそのＵＥ３０６に向けられた１つまたは複数のデータストリームを復元することを可能にする。上りリンクでは、各ＵＥ３０６は、空間的にプリコーディングされたデータストリームを送信し、それは、ｅＮＢ３０４に、空間的にプリコーティングされた各データストリームのソースを識別することを可能にさせる。
【００３２】
空間的多重化は、概して、チャネル条件が良好な時に使用される。チャネル条件があまり好ましくないとき、ビームフォーミングは、１つまたは複数の方向に送信エネルギーを集中させるために使用されうる。これは、複数のアンテナによる送信のためにデータを空間的にプリコーディングすることによって、達成されることができる。セルのエッジにおいて良いカバレージを達成するために、単一ストリームのビームフォーミング送信が送信ダイバーシティと組み合わせて使用されうる。
【００３３】
以下に続く詳細な説明において、アクセスネットワークの様々な態様がダウンリンク上でＯＦＤＭをサポートするＭＩＭＯシステムを参照して説明されることになる。ＯＦＤＭは、ＯＦＤＭシンボル内の多くのサブキャリアに渡るデータを変調する広域スペクトル技術である。これらのサブキャリアは、正確な周波数だけ離れた間隔に配置される。この間隔は、これらのサブキャリアからのデータの復元を受信機に可能にさせる、「直交性」を提供する。時間領域では、ＯＦＤＭシンボル間干渉を抑制するために、各ＯＦＤＭシンボルにガードインターバル（たとえば、サイクリックプリフィクス）が追加されることができる。上りリンクは、高いピーク対平均電力比（ＰＡＰＲ：peak-to-average power ratio）を補償するために、ＤＦＴ拡散ＯＦＤＭ信号の形態でＳＣ−ＦＤＭＡを使用することができる。
【００３４】
さまざまなフレーム構造は、ＤＬおよびＵＬ送信をサポートするために使用されることができる。ここでは、ＤＬのフレーム構造の例が、図４に関連して表される。しかしながら、当業者が容易に理解するように、任意の特定の用途のためのこのフレーム構造は、任意の数のファクタに依存して異なり得る。この例では、フレーム（１０ｍｓ）が、１０個の等しいサイズのサブフレームに分割される。各サブフレームは、２つの連続するタイムスロットを含む。
【００３５】
２個のタイムスロットを表すためにリソースグリッドが使用されることができ、各タイムスロットは、リソースブロックを含む。リソースグリッドは、複数のリソースエレメントに分割される。ＬＴＥでは、１つのリソースブロックは、周波数領域における１２個の連続するサブキャリアと、各ＯＦＤＭシンボルに１つのノーマルなサイクリックプリフィクスの場合、時間領域における７個の連続するＯＦＤＭシンボルとを含み、すなわち、８４個のリソースエレメントを含む。リソースエレメントのうちのいくつかは、Ｒ４０２，４０４として示されているように、ＤＬ基準信号（ＤＬ−ＲＳ）を含む。ＤＬ−ＲＳは、セル固有のＲＳ（ＣＲＳ）（ときどき共通ＲＳとも称される）４０２と、ＵＥ固有のＲＳ（ＵＥ−ＲＳ）４０４とを含む。ＵＥ−ＲＳ４０４は、対応する物理下りリンク共有チャネル（ＰＤＳＣＨ：physical downlink shared channel）がマッピングされたリソースブロックのみで送信される。各リソースエレメントによって搬送されるビット数は、変調スキームに依存する。すなわち、ＵＥが受信するリソースブロックが多いほど、また、変調スキームが高度であるほど、そのＵＥのためのデータレートは高くなる。
【００３６】
ここで、ＵＬのフレーム構造５００の例が、図５を参照して提示される。図５は、ＬＴＥにおけるＵＬのための例示的なフォーマットを示す。ＵＬのために利用可能なリソースブロックは、データセクションと制御セクションとに分割されることができる。制御セクションは、システム帯域幅の両端に形成されることができ、設定可能なサイズを有することができる。制御セクションにおけるリソースブロックは、制御情報の送信のためにＵＥに割り当てられることができる。データセクションは、制御セクションに含まれないすべてのリソースブロックを含むことができる。図５における設計は、単一のＵＥがデータセクションにおける連続するサブキャリアのすべてが割り当てられることを可能にし得る、連続するサブキャリアを含むデータセクションという結果となる。
【００３７】
ＵＥは、ｅＮＢに制御情報を送信するために、制御セクションにおけるリソースブロック５１０ａ、５１０ｂを割り当てられることができる。このＵＥはまた、ｅＮＢにデータを送信するために、データセクションにおけるリソースブロック５２０ａ、５２０ｂを割り当てられることができる。ＵＥは、制御セクション中の割り当てられたリソースブロックにおける、物理上りリンク制御チャネル（ＰＵＣＣＨ：physical uplink control channel）で、制御情報を送信することができる。このＵＥは、データセクションにおいて割り当てられたリソースブロックにおける、物理上りリンク共有チャネル（ＰＵＳＣＨ：physical uplink shared channel）で、データのみ、またはデータと制御情報の両方を送信することができる。ＵＬ送信は、図５に示すように、サブフレームの両スロットにわたることができ、周波数にわたってホッピングすることができる。
【００３８】
図５に示すように、物理ランダムアクセスチャネル（ＰＲＡＣＨ：physical random access channel）におけるリソースブロックのセットは、初期システムアクセスを実行し、ＵＬの同期を達成するために、使用されることができる。ＰＲＡＣＨ５３０は、ランダムシーケンスを搬送するが、任意のＵＬデータ／シグナリングを搬送することはできない。各ランダムアクセスプリアンブルは、連続する６個のリソースブロックに対応する帯域幅を占有する。開始周波数は、ネットワークによって指定される。すなわち、ランダムアクセスプリアンブルの送信は、ある特定の時間および周波数リソースに制限される。ＰＲＡＣＨに対してホッピングする周波数はない。ＰＲＡＣＨの試みは、１つのサブフレーム（１ｍｓ）中に搬送され、ＵＥは、１フレーム（１０ｍｓ）毎に１つＰＲＡＣＨの試みのみを行い得る。
【００３９】
ＬＴＥにおけるＰＵＣＣＨ、ＰＵＳＣＨ、ＰＲＡＣＨは、「発展型ユニバーサル地上無線接続（Ｅ−ＵＴＲＡ）；物理チャネルおよび変調（Evolved Universal Terrestrial Radio Access (E-UTRA); Physical Channels and Modulation）」と題する、公的に入手可能な３ＧＰＰ ＴＳ３６．２１１において説明されている。
【００４０】
無線プロトコルアーキテクチャは、特定の用途に依存してさまざまな形態をとり得る。ここでは、ＬＴＥシステムのための例が、図６に関連して示される。図６は、ユーザおよび制御プレーンのための無線プロトコルアーキテクチャの例を説明する概念図である。
【００４１】
図６を参照すると、ＵＥおよびｅＮＢのための無線プロトコルアーキテクチャは、レイヤ１、レイヤ２、レイヤ３という３つのレイヤを用いて示されている。レイヤ１は、最下位レイヤであり、物理レイヤのさまざまな信号処理機能を実施する。レイヤ１は本明細書において物理レイヤ６０６として称されることになる。レイヤ２（Ｌ２レイヤ）６０８は、物理レイヤ６０６よりも上位であり、物理レイヤ６０６を介したＵＥとｅＮＢとの間のリンクを担う。
【００４２】
ユーザプレーンにおいてＬ２レイヤ６０８は、ネットワーク側のｅＮＢで末端となるメディアアクセス制御（ＭＡＣ）サブレイヤ６１０、無線リンク制御（ＲＬＣ）、サブレイヤ６１２、及びパケットデータコンバージェンスプロトコル（ＰＤＣＰ）６１４サブレイヤを含む。示されていないが、ＵＥは、ネットワーク側のＰＤＮゲートウェイ２１８（図２を参照）で終端するネットワークレイヤ（たとえば、ＩＰレイヤ）や、接続の他端（たとえば、遠端のＵＥ、サーバ、等）で終端するアプリケーションレイヤを含む、Ｌ２レイヤ６０８よりも上の、いくつかの上位レイヤを有することができる。
【００４３】
ＰＤＣＰサブレイヤ６１４は、異なる無線ベアラと論理チャネルとの間の多重化を提供する。ＰＤＣＤサブレイヤ６１４はまた、無線送信オーバヘッドを低減するための上部レイヤデータパケット用のヘッダ圧縮、データパケットを暗号化することによるセキュリティ、及びｅＮＢｓ間のＵＥｓのためのハンドオーバサポートを提供する。ＲＬＣサブレイヤ６１２は、上位レイヤのデータパケットのセグメンテーションおよびリアセンブリと、ロストデータパケットの再送と、ハイブリッド自動再送要求（ＨＡＲＱ）による、順序がバラバラの受信を補償するためのデータパケットの並び替えとを提供する。ＭＡＣサブレイヤ６１０は、論理チャネルとトランスポートチャネルとの間の多重化を提供する。ＭＡＣサブレイヤ６１０はまた、１つのセルにおけるさまざまな無線リソース（たとえば、リソースブロック）の複数のＵＥ間での割り当てを担う。ＭＡＣサブレイヤ６１０はまた、ＨＡＲＱ演算を担う。
【００４４】
制御プレーンにおいて、ＵＥ及びｅＮＢのための無線プロトコルアーキテクチャは、制御プレーンにヘッダ圧縮機能がないことは例外として、実質的に物理レイヤ６０６及びＬ２レイヤ６０８にとって同じである。制御プレーンはまた、レイヤ３における無線リソース制御（ＲＲＣ）サブレイヤ６１６を含む。ＲＲＣサブレイヤ６１６は、無線リソース（すなわち、無線ベアラ）を得ることと、ｅＮＢとＵＥとの間でＲＲＣシグナリングを使用して下位レイヤを構成することとを担う。
【００４５】
図７は、アクセスネットワークにおいてＵＥ７５０と通信するｅＮＢ７１０のブロック図である。ＤＬにおいて、コアネットワークから、上位レイヤのパケットは、コントローラ／プロセッサ７７５に提供される。コントローラ／プロセッサ７７５は、図６に関し先に述べたＬ２レイヤの機能を実施する。ＤＬにおいて、コントローラ／プロセッサ７７５は、ヘッダの圧縮、暗号化、パケットのセグメンテーションおよび並び替え、論理チャネルとトランスポートチャネルとの間での多重化、さまざまな優先順位メトリックに基づいたＵＥ７５０に対する無線リソースの割り当てを提供する。コントローラ／プロセッサ７７５はまた、ＨＡＲＱ演算、損失パケットの再送、ＵＥ７５０へのシグナリングを担う。
【００４６】
ＴＸプロセッサ７１６はＬ１レイヤ（つまり、物理レイヤ）のための様々な信号処理機能を実施する。信号処理機能は、ＵＥ７５０で前方向誤り訂正（ＦＥＣ）を容易にするためにコード化すること及びインターリーブすること、ならびに様々な変調スキーム（例えば、２相位相変調（ＢＰＳＫ）、４相位相変調（ＱＳＰＫ）、多相位相変調（Ｍ−ＰＳＫ）、もしくは多値直交振幅変調（Ｍ−ＱＡＭ））に基づいて信号コンステレーションにマッピングすることを含む。コード化された、ならびに変調されたシンボルはその後並行なストリームに分けられる。その後、各ストリームは、ＯＦＤＭサブキャリアにマッピングされ、時間領域および／または周波数領域において基準信号（たとえば、パイロット）とともに多重化され、そして、逆高速フーリエ変換（ＩＦＦＴ）を使用してともに合成され、時間領域のＯＦＤＭシンボルストリームを搬送する物理チャネルが生成される。ＯＦＤＭストリームは、複数の空間ストリームを生成するために空間的にプリコーディングされる。チャネル推定器７７４からのチャネル推定値が、符号化および変調スキームの決定、ならびに空間処理のために、使用され得る。チャネル推定値は、ＵＥ７５０によって送信された基準信号および／またはチャネル状況のフィードバックから導出され得る。そして、各空間ストリームは、別個の送信機７１８ＴＸを介して異なるアンテナ７２０に提供される。各送信機７１８ＴＸは、ＲＦキャリアを、送信されるそれぞれの空間ストリームによって変調する。
【００４７】
ＵＥ７５０で、それぞれの受信機７５４ＲＸはその各々のアンテナ７５２を通じて信号を受信する。それぞれの受信機７５４ＲＸは、ＲＦキャリア上に変調された情報を復元し、受信機（ＲＸ）プロセッサ７５６にその情報を提供する。
【００４８】
ＲＸプロセッサ７５６は、Ｌ１レイヤの様々な信号処理機能を実行する。ＲＸプロセッサ７５６は、ＵＥ７５０に向けられた任意の空間的なストリームを復元するために情報に空間処理を実行する。複数の空間ストリームがＵＥ７５０に宛てられている場合、それらは、ＲＸプロセッサ７５６により単一のＯＦＤＭシンボルストリームに合成されることができる。その後、ＲＸプロセッサ７５６は、高速フーリエ変換（ＦＦＴ）を使用して、そのＯＦＤＭシンボルストリームを時間領域から周波数領域へと変換する。周波数領域の信号は、ＯＦＤＭ信号の各サブキャリアに対する別個のＯＦＤＭシンボルストリームを備える。各サブキャリアにおけるシンボル、および基準信号は、ｅＮＢ７１０によって送信された最も確からしい信号コンステレーションポイントを決定することによって、復元および復調される。これらの軟判定は、チャネル推定器７５８によって計算されたチャネル推定値に基づくことができる。その後、これらの軟判定は、物理チャネルにおいてｅＮＢ７１０により元々送信されたデータおよび制御信号を復元するために、復号およびデインターリーブされる。そして、データおよび制御信号が、コントローラ／プロセッサ７５９に提供される。
【００４９】
コントローラ／プロセッサ７５９は、図６に関連して上記で説明されたＬ２レイヤを実装する。ＵＬにおいて、コントローラ／プロセッサ７５９は、トランスポートチャネルと論理チャネルとの間でのデマルチプレクシング、パケットのリアセンブリ、解読、ヘッダの解凍、制御信号処理を提供し、コアネットワークからの上位レイヤパケットを復元する。その後、上位レイヤパケットは、データシンク７６２に提供されるが、それは、Ｌ２レイヤより上位のすべてのプロトコルレイヤを表す。さまざまな制御信号もまた、Ｌ３処理のために、データシンク７６２に提供されることができる。コントローラ／プロセッサ７５９はまた、ＨＡＲＱ演算をサポートするために、肯定応答（ＡＣＫ）および／または否定応答（ＮＡＣＫ）プロトコルを使用した誤り検出を担う。
【００５０】
ＵＬにおいて、データソース７６７は上位レイヤパケットをコントローラ／プロセッサ７５９に提供するために使用される。データソース７６７は、Ｌ２レイヤ（Ｌ２）上部の全てのプロトコルレイヤを示す。ｅＮＢ７１０によるＤＬ送信に関連して説明された機能と同様に、コントローラ／プロセッサ７５９は、ヘッダの圧縮、暗号化、パケットのセグメンテーションと並び替え、およびｅＮＢ７１０による無線リソースの割り当てに基づいた論理チャネルとトランスポートチャネルとの間での多重化を提供することにより、ユーザプレーンおよび制御プレーンのためのＬ２レイヤを実現する。コントローラ／プロセッサ７５９はまた、ＨＡＲＱ演算、ロストパケットの再送、ｅＮＢ７１０へのシグナリングを担う。
【００５１】
ｅＮＢ７１０によって送信される参照信号もしくはフィードバックからチャネル推定機７５８によって導き出されるチャネル推定は、適当なコーディング及び変調スキームを選択するために、ならびに空間的な処理を容易にするためにＴＸプロセッサ７６８によって使用され得る。ＴＸプロセッサ７６８によって生成される空間的ストリームは別個の送信機７５４ＴＸを介して異なるアンテナ７５２に提供される。各送信機７５４ＴＸは、ＲＦキャリアを、送信されるそれぞれの空間ストリームによって変調する。
【００５２】
ＵＬ送信は、ＵＥ７５０での受信機機能と関係して説明されたものと類似の方式でｅＮＢ７１０で処理される。各受信機７１８ＲＸは、そのそれぞれのアンテナ７２０を通じて信号を受信する。各受信機７１８ＲＸは、ＲＦキャリア上に変調された情報を復元し、ＲＸプロセッサ７７０にその情報を提供する。ＲＸプロセッサ７７０は、Ｌ１レイヤを実現する。
【００５３】
コントローラ／プロセッサ７５９は、図６と関係して上記で説明されたＬ２レイヤを実装する。ＵＬにおいて、コントローラ／プロセッサ７５９は、トランスポートチャネルと論理チャネルとの間でのデマルチプレクシング、パケットのリアセンブリ、解読、ヘッダの解凍、制御信号処理を提供し、ＵＥ７５０からの上位レイヤパケットを復元する。コントローラ／プロセッサ７７５からの上位レイヤパケットは、コアネットワークに提供されることができる。コントローラ／プロセッサ７５９はまた、ＨＡＲＱ動作をサポートするためにＡＣＫ、及び／もしくはＮＡＣＫプロトコルを使用する誤り検出も担っている。
【００５４】
図１に関連して説明された処理システム１１４は、ｅＮＢ７１０を含む。特に、処理システム１１４は、ＴＸプロセッサ７１６と、ＲＸプロセッサ７７０と、コントローラ／プロセッサ７７５とを含む。処理システム１１４は、ｅＮＢ  ７１０が接続されるＲＲＨをさらに含みうる。図１に関して記述された処理システム１１４は、ＵＥ７５０を含む。特に、処理システム１１４は、ＴＸプロセッサ７６８と、ＲＸプロセッサ７５６と、コントローラ／プロセッサ７５９とを含む。
【００５５】
図８は、本開示のある態様に従って、マクロノードおよび多くのリモート無線ヘッド（ＲＲＨ）を有するネットワーク８００を説明する。マクロノード８０２は、光ファイバで、ＲＲＨ８０４、８０６、８０８、８１０に接続されうる。ある態様では、ネットワーク８００は、同種のネットワークあるいは異種のネットワークであり、ＲＲＨ８０４−８１０は、低消費電力または高消費電力ＲＲＨでありうる。１つの態様では、マクロノード８０２は、それ自身およびＲＲＨのために、セル内の全てのスケジューリングを取り扱う。ＲＲＨは、マクロノード８０２と同じセル識別（ＩＤ）、あるいは異なるセルＩＤで構成されうる。ＲＲＨが同じセルＩＤで構成される場合、マクロノード８０２およびＲＲＨは、本質的に、マクロノード８０２によって制御される１つのセルとして動作しうる。一方、ＲＲＨおよびマクロノード８０２が異なるセルＩＤで構成される場合、マクロノード８０２およびマクロノード８０２は、異なるセルとしてＵＥに見えるが、すべての制御およびスケジューリングは、いまだマクロノード８０２のままでありうる。
【００５６】
ある態様では、異種のセットアップは、ＲＲＨ／ノードからデータ送信を受信する、アドバンスドＵＥ（例えば、ＬＴＥリリース−１０またはそれより大きなリリースのためのＵＥ）のために最大性能利益を示しうる。セットアップ間の重大な差は、典型的に、制御信号およびレガシ衝突の処理に関する。１つの態様では、ＲＲＨの各々は、１つまたは複数のＣＳＩ−ＲＳポート上で送信するために割り当てられうる。概して、マクロノードおよびＲＲＨは、ＣＳＩ−ＲＳポートのサブセットに割り当てられうる。例えば、８つの利用可能なＣＳＩ−ＲＳポートがある場合、ＲＲＨ８０４は、ＣＳＩ−ＲＳポート０、１上で送信するために割り当てられ、ＲＲＨ８０６は、ＣＳＩ−ＲＳポート２、３上で送信するために割り当てられ、ＲＲＨ８０８は、ＣＳＩ−ＲＳポート４、５上で送信するために割り当てられ、ＲＲＨ８１０は、ＣＳＩ−ＲＳポート６および７上で送信するために割り当てられうる。マクロノードおよび／またはＲＲＨは、同じＣＳＩ−ＲＳポートに割り当てられうる。例えば、ＲＲＨ８０４およびＲＲＨ８０８は、ＣＳＩ−ＲＳポート０、１、２、３上で送信するために割り当てられ、ＲＲＨ８０６およびＲＲＨ８１０は、ＣＳＩ−ＲＳポート４、５、６、７上で送信するために割り当てられうる。このような構成では、ＲＲＨ８０４および８０８からのＣＳＩ−ＲＳは、オーバーラップし、ＲＲＨ８０６および８１０からのＣＳＩ−ＲＳは、オーバーラップしうる。
【００５７】
ＣＳＩ−ＲＳは、典型的に、ＵＥに特有である。各ＵＥは、ＣＳＩ−ＲＳポートの所定の数（例えば、８つのＣＳＩ−ＲＳポート）までで構成され、ＲＲＨ８０４−８１０のうちの１つまたは複数からＣＳＩ−ＲＳポート上のＣＳＩ−ＲＳを受信しうる。例えば、ＵＥ８２０は、ＲＲＨ８０４からのＣＳＩ−ＲＳポート０および１上のＣＳＩ−ＲＳを受信し、ＲＲＨ８０６からのＣＳＩ−ＲＳポート２および３上のＣＳＩ−ＲＳを受信し、ＲＲＨ８０８からのＣＳＩ−ＲＳポート４および５上のＣＳＩ−ＲＳを受信し、ＲＲＨ８１０からのＣＳＩ−ＲＳポート６および７上のＣＳＩ−ＲＳを受信しうる。ＵＥ８２０が同じＲＲＨから異なるポート上のＣＳＩ−ＲＳを受信しうるので、このような構成は、典型的に、ＵＥ８２０に特有である。例えば、ＵＥ８２２は、さらに８つのＣＳＩ−ＲＳポートで構成され、ＲＲＨ８０８からのＣＳＩ−ＲＳポート０および１上のＣＳＩ−ＲＳを受信し、ＲＲＨ８１０からのＣＳＩ−ＲＳポート２および３上のＣＳＩ−ＲＳを受信し、ＲＲＨ８０４からのＣＳＩ−ＲＳポート４および５上のＣＳＩ−ＲＳを受信し、ＲＲＨ８０６からのＣＳＩ−ＲＳポート６および７上のＣＳＩ−ＲＳを受信しうる。概して、任意の特定のＵＥに関しては、ＣＳＩ−ＲＳポートは、ＲＲＨの中に分散され、特定のＵＥは、特定のＵＥにそれらのポート上で送るように構成されたＲＲＨからそれらのポート上のＣＳＩ−ＲＳを受信するために、任意の数のＣＳＩ−ＲＳポートで形成されうる。
【００５８】
ある態様では、各ＲＲＨがマクロノード８０２と同じセルＩＤを共有する場合、制御情報は、マクロノードからまたはマクロノードとすべてのＲＲＨとの両方からＣＲＳを使用して送信されうる。ＣＲＳは、同じリソース要素を使用して、各送信／受信ポイント（つまりマクロノード、ＲＲＨ）（送信／受信ポイントは、本明細書で「ＴｘＰ」と称される）から典型的に送信されるので、信号は、互いのすぐ側（on top of）にある。ある態様では、用語、送信／受信ポイント（「ＴｘＰ」）は、典型的には、少なくとも１つのセントラルエンティティ（例えばｅＮｏｄｅＢ）によって制御されており、同じセルＩＤまたは異なるセルＩＤを有しうる地理的に分離された送信／受信ノードを表わす。ＴｘＰｓの各々が同じセルＩＤを有する場合、ＴｘＰｓの各々から送信されたＣＲＳは、識別されえない。ある態様では、ＲＲＨが異なるセルＩＤを有する場合、同じリソース要素を使用してＴｘＰｓの各々から送信されたＣＲＳは、衝突しうる。１つの態様では、ＲＲＨが異なるセルＩＤを有しＣＲＳが衝突する場合、ＴｘＰｓの各々から送信されたＣＲＳは、干渉除去技術およびアドバンスド受信機処理によって区別されうる。
【００５９】
ある態様では、ＣＲＳが複数のＴｘＰｓから送信される場合、適切なアンテナバーチャリゼーションは、送信するマクロノード／ＲＲＨと同数でない物理アンテナがあるかどうかが必要とされる。すなわち、ＣＲＳは、各マクロノードおよびＲＲＨで等しい数の（仮想）送信アンテナから送信されうる。例えば、ノード８０２およびＲＲＨ８０４、８０６、８０８の各々が２つの物理アンテナを有し、ＲＲＨ８１０が４つの物理アンテナを有する場合、ＲＲＨ８１０の第１の２つのアンテナは、ＣＲＳポート０を送信するように構成され、ＲＲＨ８１０の第２の２つのアンテナは、ＣＲＳポート１を送信するように構成されうる。アンテナポートの数は物理アンテナの数に関連して増加または減少しうる。
【００６０】
上記で議論されるように、マクロノード８０２およびＲＲＨ  ８０４−８１０は、ＣＲＳをすべて送信しうる。しかしながら、マクロノード８０２のみがＣＲＳを送信する場合、機能停止は、自動利得制御（ＡＧＣ）問題によりＲＲＨに近接して生じうる。典型的には、同じ／異なるセルＩＤセットアップ間の差は、主として制御およびレガシ問題と、ＣＲＳに依存する他の潜在的な動作とに関する。衝突するＣＲＳ構成を除く、異なるセルＩＤでのシナリオは、衝突するＣＲＳを有することを定義することによって、同じセルＩＤセットアップと類似性がありうる。異なるセルＩＤおよび衝突するＣＲＳを有するシナリオは、セルＩＤ（例えば、スクランブリングシーケンスなど）に依存する、システム特性／コンポーネントがより容易に区別される同じセルＩＤの場合と比較して利点を有する。
【００６１】
上記で議論されるように、ＵＥは、ＣＳＩ−ＲＳを有するデータ送信を受信し、ＣＳＩフィードバックを提供しうる。既存のコードブックが、ＣＳＩ−ＲＳの各々に対してパスロスが等しいと仮定して設計されたので、問題は、この条件を満たさない場合に、ある性能ロスを被るということである。複数のＲＲＨがＣＳＩ−ＲＳを有するデータを送信しているので、ＣＳＩ−ＲＳの各々に関連するパスロスは、異なりうる。そのため、コードブックの改良は、ＴｘＰｓに対して適切なパスロスを考慮に入れるクロスＴｘＰ  ＣＳＩフィードバックを可能にする必要がありうる。複数のＣＳＩフィードバックは、アンテナポートをグループ化しグループ毎にフィードバックを提供することによって提供されうる。
【００６２】
典型的な構成は、同じまたは異なるセルＩＤを有するマクロ／ＲＲＨセットアップに適用可能である。異なるセルＩＤの場合には、ＣＲＳがオーバーラップするように構成されうる。それは、結果として、同じセルＩＤの場合と同様のシナリオを導きうる（しかし、セルＩＤ（例えば、スクランブリングシーケンスなど）に依存するシステム特性がＵＥによってより容易に区別されうる利点を持つ）。
【００６３】
ある態様では、典型的なマクロ／ＲＲＨエンティティは、マクロ／ＲＲＨセットアップのカバレージ内の制御／データ送信の分離を提供しうる。セルＩＤが各ＴｘＰに対して同じである場合、ＰＤＣＣＨは、マクロノード８０２からまたはマクロノード８０２とＲＲＨとの両方からＣＲＳで送信されながら、ＰＤＳＣＨがＴｘＰｓのサブセットからＣＳＩ−ＲＳおよびＤＭ−ＲＳで送信されうる。セルＩＤがＴｘＰｓのうちのいくつかと異なる場合、ＰＤＣＣＨは、各セルＩＤグループにおけるＣＲＳで送信されうる。各セルＩＤグループから送信されたＣＲＳは、衝突しうるまたは衝突しえない。ＵＥは、同じセルＩＤを有する複数のＴｘＰｓから送信されたＣＲＳを区別しないが、（例えば、干渉除去または同様の技術を使用して）異なるセルＩＤを有する複数のＴｘＰｓから送信されたＣＲＳを区別しうる。制御／データ送信の分離は、ＵＥに、ＵＥを少なくとも１つのＴｘＰに「関連することと」、と同時にすべてのＴｘＰｓからのＣＲＳ送信に基づく制御を送信することとのトランスペアレントな方法を可能にさせる。これは、セルが異なるＴｘＰｓにわたるデータ送信のために分割することを可能にする一方で、共通の制御チャネルを残すことを可能にする。上記の用語「関連」は、データ送信のための特有のＵＥに対するアンテナポートの構成を意味する。これは、ハンドオーバのコンテキストにおいて実行される関連とは異なる。制御は、上記に議論されるようなＣＲＳに基づいて送信されうる。制御とデータを分離することは、ハンドオーバ処理を経なければならないことと比較して、ＵＥのデータ送信に使用されるアンテナポートのより高速の再構成を可能にさせうる。ある態様では、クロスＴｘＰフィードバックは、異なるＴｘＰｓの物理アンテナに対応するためにＵＥのアンテナポートを構成することによって可能になりうる。
【００６４】
ある態様では、ＵＥ特有の基準信号は、（例えば、ＬＴＥ−Ａリリース１０およびそれより上のリリースのコンテキストにおいて）この動作を可能にする。ＣＳＩ−ＲＳおよびＤＭ−ＲＳは、ＬＴＥ−Ａコンテキストにおいて使用される基準信号である。干渉推定は、ＣＳＩ−ＲＳを弱めること（muting）に基づいて実行されうる。共通制御で、ＰＤＣＣＨ容量が制限されるので、制御容量問題がありうる。制御容量は、ＦＤＭ制御チャネルを使用することに拡大しうる。中継ＰＤＣＣＨ（Ｒ−ＰＤＣＣＨ）またはそれらの拡張は、ＰＤＣＣＨ制御チャネルを補足する、増大する、または置換するために使用されうる。ＵＥは、ＰＭＩ／ＲＩ／ＣＱＩを提供するためにそのＣＳＩ−ＲＳ構成に基づいてＣＳＩフィードバックを提供しうる。コードブック設計は、アンテナが地理的に分離されないと仮定されるので、アンテナアレイからＵＥまでに同じパスロスがある。これは、アンテナが相関せず、異なるチャネルを見るような複数のＲＲＨの場合ではない。コードブックの改良は、より効率的なクロスＴｘＰ  ＣＳＩフィードバックを可能にしうる。ＣＳＩ推定は、異なるＴｘＰｓに関連するアンテナポート間のパスロス差をキャプチャしうる。更に、複数のフィードバックは、アンテナポートをグループ化することによって提供され、グループ毎にフィードバックを提供されうる。
【００６５】
リモート無線ヘッド（ＲＲＨ）展開のための無線通信リソースモニタリング（ＲＲＭ）および無線リンクモニタリング（ＲＬＭ）プロシージャ  
異なるセル特有のＲＳ送信を有するＲＲＨ展開は、多くのセルエッジを生成しうる。それは、アイドル状態モビリティにおける挑戦を示しうる。例えば、アイドル状態では、異なるセル識別を有するＲＲＨ展開におけるＵＥは、増加したセル境界によって増加したサーチ数を実行する必要がありうる。それは、ＵＥのバッテリー寿命を減少させることになる。しかしながら、本開示のある態様は、アイドル状態のＵＥサポートのためのセル間協調（ＣｏＭＰ）送信を利用し、いくつかの態様では、新規のＲＬＭ技術を導入しうる。結果として、ここに開示された技術は、より良いアイドルモード性能および／またはより良いＲＬＭ性能を達成するのに役立ちうる。
【００６６】
以上で記述されるように、ＲＲＨは、概して、マクロ基地局（例えば、ｅＮＢ）の遠隔に位置するアンテナシステムおよびＲＦユニットを指す。以上で注意されるように、いくつかの場合において、バックホール（backhaul）は、高容量スループット（（例えば、１００Ｍｂｐｓ）および低いレイテンシ（例えば１μｓのオーダ）をもたらす、ファイバ接続されうる。
【００６７】
典型的に、２つのタイプのＲＲＨ展開がある。第１の展開では、ＲＲＨは、単一周波数ネットワーク（ＳＦＮ）として知られる接続されるマクロセルのうちの１つと同じセルＩＤを共有しうる。この場合、ＲＲＨは、単に、リリース８／９／１０にトランスペアレントなマクロセルの分散したアンテナシステムでありうる。ＣｏＭＰ動作に気付いている最新のリリースのＵＥに対して、ＲＲＨは、異なる送信ポイントとして区別されうる。この場合、ＵＥがＲＲＨとマクロセルとの間を移動するときに、レガシモビリティプロシージャは、必要ではない。全てのＲＲＨがマクロと同じＣＲＳアンテナポートを送信するデフォルトの仮定がありうる。
【００６８】
しかしながら、別のタイプの展開に関しては、ＲＲＨが異なるセルＩＤと共に区別されうる。この場合、各ＲＲＨは、ＵＥによって区別され、モビリティプロシージャが適用されうる。言いかえれば、ＵＥがＲＲＨとｅＮＢとの間に移動するときに、ハンドオーバあるいはセル再選択が必要なことがある。
【００６９】
アイドルモードでは、ＵＥは、典型的には、サービングセルからページングアクティビティをモニタするような様々な機能を実行する。もしページがあれば、ＵＥは、典型的に、接続された状態に遷移し、サービングセル信号品質を測定し、測定値があるしきい値でないならば、より良いセルに切り替わり、新しいページング領域に登録する。
【００７０】
ＲＲＨおよび接続されるマクロセルは、多くの場合同じページング領域を有することになる。この場合、同じセルＩＤを共有するＲＲＨで、ページング領域の再構成の必要がない。しかしながら、ＲＲＨが異なるセルＩＤを有する場合、ページング領域の再構成は、実行され、たとえば、マクロセルページング領域にＲＲＨを含む。バックホールロードとページング容量は、両方の場合に同じである可能性が高い。異なるセルＩＤは、もし必要ならば、より小さなマクロセルページング領域およびより大きな容量の追加の最適化を許容する。しかしながら、ページング信頼性は、ＳＦＮ動作により同じセルＩＤでより良くなりうる。
【００７１】
アイドル状態では、ＵＥは、基準信号受信電力（ＲＳＲＰ）および基準信号受信品質（ＲＳＲＱ）測定のような、様々な無線リソース管理（ＲＲＭ）測定を行いうる。ＲＳＲＰとＲＳＲＱは、典型的に、最も強いＣＲＳアンテナポートに基づいて定義される。同じセルＩＤセットアップに対して、これは、結果として、マクロセルカバレージエリアにわたるより良い信号対雑音比（ＳＮＲ）と共に有効なＳＦＮを導きうる。この場合、ＲＳＲＰとＲＳＲＱは、例えばマクロセルおよび接続されたＲＲＨの両方からの信号の寄与によりカバレージ領域内で両方とも高くなりうる。これは、マクロのみの展開と比較して（たとえば、同じセルＩＤを有するＲＲＨの追加によって）より少ないサーチをトリガすることに帰着し、おそらくより良いバッテリー消費に帰着しうる。ＲＳＲＰは、マクロセル領域間のモビリティに使用されうる。
【００７２】
異なるセルＩＤセットアップを有するＲＲＨ展開に関しては、ＲＳＲＰが本当のチャンネル条件を反映しないので、ＲＳＲＱは、モビリティプロシージャに使用される必要がありうる。リリース８のＵＥに関しては、ＲＳＲＱがアイドル状態に定義されないので、これは作動しえない。リリース９のＵＥに関しては、これらのＵＥは、増加したセル境界により（つまりそれ自身のセルＩＤを有する各ＲＲＨに対して）より多くのサーチを有しうる。マクロセルと接続されるＲＲＨとの間のリソースのＴＤＭ区分を介する、セル間干渉調整（ＩＣＩＣ：inter-cell interference coordination）を有するリリース１０のＵＥは、ほぼ空のサブフレーム（ＡＢＳ：almost blank subframes）上の高いＲＳＲＱにより潜在的により少数のサーチを有しうる。しかしながら、リソースのＴＤＭ区分は、アイドルモードにおけるリリース１０のＵＥに対して利用可能でない。それは、リリース９のＵＥに関して、より多くのサーチを生じさせる。多くのサーチは、ＵＥのバッテリー寿命を低減することに帰着しうる。
【００７３】
したがって、アイドルモードにおいてより少数のサーチ／再選択および改善されたバッテリー寿命を許容する技術が提供される。技術は、ＳＦＮがＣｏＭＰの特有の形式と見なされうる観測の利点を利用しうる。言いかえれば、異なるセルＩＤを有するマクロセルおよび接続されるＲＲＨは、単一のセルとみなされうる。したがって、ページングのための（ＲＲＨとマクロセルとの間での）ＣｏＭＰ動作およびアイドルモード動作を可能にすることによって、改良は達成されうる。
【００７４】
図９は、本開示のある態様に従って、ページングのためのＣｏＭＰ動作とアイドルモード動作を可能にするための例示の動作９００を説明する。動作９００は、例えば、ｅＮＢによって実行されうる。
【００７５】
９０２で、ｅＮＢは、１つまたは複数のチャネル状態情報基準信号（ＣＳＩ−ＲＳ）ポートにリンクされたＣｏＭＰ識別のインジケーションを有するシステム情報ブロック（ＳＩＢ）を送信しうる。ＳＩＢのタイプは、概して、マスタ情報ブロック（ＭＩＢ）およびＳＩＢ１−ＳＩＢ８を含む。
【００７６】
９０４で、ｅＮＢは、リンクしたＣＳＩ−ＲＳポート上の信号を送信しうる。ある態様に関しては、ｅＮＢは、他のワイヤレスノードと調節されたＣｏＭＰ送信の一部としてブロードキャストページング送信を送信しうる。ここで、ワイヤレスノードは、概して、異なるセル識別を有するＲＲＨを含む。ＣｏＭＰ送信は、単一周波数ネットワーク（ＳＦＮ）送信でありうる。ある態様に関しては、ブロードキャストページング送信は、復調基準信号（ＤＭ−ＲＳ）に基づいて送信されうる。
【００７７】
以上で記述された動作９００は、任意の適切なコンポーネントまたは図９の機能を実行することができる他の手段によって実行されうる。例えば、図９で説明された動作９００は、図９Ａで説明されたコンポーネント９００Ａに対応する。図９Ａでは、ユニット９０２Ａを生成するＳＩＢは、１つまたは複数のＣＳＩ−ＲＳポートにリンクされたＣｏＭＰ識別のインジケーションを有するＳＩＢを生成しうる。トランシーバ（Ｔｘ／Ｒｘ）９０３Ａは、ＳＩＢを送信しうる。ＣＳＩ−ＲＳ生成ユニット９０４Ａは、リンクしたＣＳＩ−ＲＳポート上の信号を生成しうる。Ｔｘ／Ｒｘ９０３Ａは、リンクしたＣＳＩ−ＲＳポート上の信号を送信しうる。
【００７８】
図１０は、本開示のある態様に従って、ページングのためのＣｏＭＰ動作およびアイドルモード動作を実行するための例示の動作１０００を説明する。動作１０００は、例えば、ＵＥによって実行されうる。
【００７９】
１００２で、ＵＥは、複数のノードからの１つまたは複数のＣＳＩ−ＲＳポートにリンクされたＣｏＭＰ識別のインジケーションを有するＳＩＢを受信しうる。ここで、複数のノードは、概して、異なるセル識別を有するＲＲＨを含む。ＳＩＢは、ＣｏＭＰ送信またはユニキャスト送信を通じて受信されうる。
【００８０】
１００４で、ＵＥは、ＣｏＭＰ識別にリンクされたＣＳＩ−ＲＳポート上で送信された信号をモニタしうる。ある態様に関しては、モニタリングがアイドルモードを入力した後に実行されうる。ある態様に関しては、ＵＥが、モニタされた信号に基づいてＣｏＭＰ基準信号受信電力（ＲＳＲＰ）を決定しうる。その後、ＵＥは、ＣｏＭＰ  ＲＳＲＰの受信信号強度インジケータ（ＲＳＳＩ）に対する比としてＣｏＭＰ基準信号受信品質（ＲＳＲＱ）の計算を実行しうる。
【００８１】
ある態様に関しては、ＵＥは、複数のノードの各々からの、ＣｏＭＰ送信の一部としてブロードキャストページング送信を受信しうる。ＵＥは、ブロードキャストページング送信を受信した後に少なくとも１つのサービングセルにアクセスしうる。ある態様に関して、少なくとも１つのサービングセルにアクセスすることは、概して、少なくとも１つのサービングセルのためにサーチすることと、少なくとも１つのサービングセルの構成されたチャネル上のランダムアクセスチャネル（ＲＡＣＨ）を送信することとを含む。
【００８２】
以上に記述された動作１０００は、任意の適切なコンポーネントまたは図１０に対応する機能を実行することができる他の手段によって実行されうる。例えば、図１０で説明された動作１０００は、図１０Ａで説明されたコンポーネント１０００Ａに対応する。図１０Ａでは、Ｔｘ／Ｒｘ１００２Ａは、複数のノードからの１つまたは複数のＣＳＩ−ＲＳポートにリンクされたＣｏＭＰ識別のインジケーションを有するＳＩＢを受信しうる。モニタリングユニット１００４Ａは、ＣｏＭＰ識別にリンクされたＣＳＩ−ＲＳポート上で送信された信号をモニタしうる。
【００８３】
ページング動作のためにＣｏＭＰ動作を可能にすることは、概して、マクロセルおよび接続されるＲＲＨのような、複数のセルから送信される制御チャネルにページング無線ネットワーク一時識別子（Ｐ−ＲＮＴＩ：paging-radio network temporary identifier）のためのＰＤＣＣＨを置き換えることを含む。例えば、以上に記述されるように、リリース−１０中継ＰＤＣＣＨ（Ｒ−ＰＤＣＣＨ）と同様の強化ＰＤＣＣＨ（ｅ−ＰＤＣＣＨ）は、ＰＤＣＣＨを置き換えるために使用されうる。したがって、ページング目的のために、ダウンリンク（ＤＬ）−ｅＮＢ設計は、Ｐ−ＲＮＴＩのためのＥ−ＰＤＣＣＨを利用することと、ＤＭ−ＲＳに基づいてブロードキャストページング送信（ページングペイロード）を送信することとを含みうる。結果として、ジョイント送信（joint transmission）は、Ｐ−ＲＮＴＩのために接続されるＲＲＨおよびマクロセルから送られ、単一のＣｏＭＰセルと見なされうる。ある態様に従って、新規のＣｏＭＰ  ＩＤは、ＣｏＭＰセルをサーチするＵＥのためのインジケーションとして、Ｐ−ＲＮＴＩのために利用されうる。
【００８４】
対応するＤＬ−ＵＥ設計に対して、Ｐ−ＲＮＴＩのための従来のＰＤＣＣＨをモニタすることに加えて、アドバンストＵＥは、さらにＰ−ＲＮＴＩのための上記のＥ−ＰＤＣＣＨをモニタしうる。最良のセルを見つけるために接続されたモードにおける再選択がまだ実行されることがあるが、ＣｏＭＰページングは、アイドルモード中でセル再選択（ＲＲＨセル間）の必要性を効果的に除きうる。したがって、ＵＥがマクロセルのカバレージエリア内にいる場合、ＵＥは、ＵＥがマクロセルおよび接続されるＲＲＨから受信するジョイント送信によって、ＲＲＨに対して再選択を実行する必要がなくなる。セル再選択の必要性を効果的に除くことは、ＵＥのバッテリー寿命を改善しうる。
【００８５】
ＲＲＭおよびＲＬＭの測定に対して、技術は、ＣｏＭＰ信号対電力および雑音比（ＳＩＮＲ）が、例えばマクロ境界で、低い場合に限りに、再選択を確保するために設計されうる。１つのアプローチに従って、ＵＥ  ＲＲＭページングプロシージャのためのページング送信に対応するページングＣＳＩ−ＲＳ（Ｐ−ＣＳＩ−ＲＳ）などの新規の基準信号（つまりＣｏＭＰセルからの）のジョイントブロードキャストが使用されうる。この場合、既存のＣＳＩ−ＲＳへの修正は、５，１０，２０，４０のＣＳＩ−ＲＳ周期の構成および処理利得を増加させることに単に限定するのではなく、例えば、弱めるパターン（muting pattern）を追加することによって、実装されうる。
【００８６】
別のアプローチに従って、ＵＥは、ＣｏＭＰ送信（つまりＣｏＭＰ  ＲＳＲＰ）に対応する新規のＲＳＲＰを生成するために既存のＲＳＲＰ測定の後処理を実行しうる（つまり、受信機側の強化）。
【００８７】
図１１は、本開示のある態様に従って、ＣｏＭＰ送信に対応する新規のＲＳＲＰを生成するために既存のＲＳＲＰ測定の後処理を実行するための例示の動作１１００を説明する。動作１１００は、例えば、ＵＥによって実行されうる。
【００８８】
１１０２で、ＵＥは、複数のノードにリンクされたＣｏＭＰ識別のインジケーション有するＳＩＢを受信しうる。１１０４で、ＵＥは、ＣｏＭＰ識別にリンクされた複数のノードのうちの１つまたは複数のノードを検出しうる。１１０６で、ＵＥは、１つまたは複数のノードの各々のＲＳＲＰを測定しうる。１１０８で、ＵＥは、１つまたは複数のノードの各々の測定されたＲＳＲＰに基づいてＣｏＭＰ  ＲＳＲＰを決定しうる。その後、ＵＥは、ＣｏＭＰ  ＲＳＲＰのＲＳＳＩに対する比としてＣｏＭＰ  ＲＳＲＱを計算しうる。
【００８９】
以上に記述された動作１１００は、任意の適切なコンポーネントまたは図１１の対応する機能を実行することができる他の手段によって実行されうる。例えば、図１１で説明された動作１１００は、図１１Ａで説明されるコンポーネント１１００Ａに対応する。図１１Ａでは、Ｔｘ／Ｒｘ１１０２Ａは、複数のノードにリンクされたＣｏＭＰ識別のインジケーションを有するＳＩＢを受信しうる。検出ユニット１１０４Ａは、ＣｏＭＰ識別にリンクされた複数のノードのうちの１つまたは複数のノードを検出しうる。検出ユニット１１０６Ａは、１つまたは複数のノードのＲＳＲＰを測定しうる。決定ユニット１１０８Ａは、１つまたは複数のノードの各々の測定されたＲＳＲＰに基づいてＣｏＭＰ  ＲＳＲＰを決定しうる。
【００９０】
既存のＲＳＲＰ測定の後処理に関しては、ＣｏＭＰ  ＩＤは、物理セルＩＤ（ＰＣＩ）のセットおよびＣｏＭＰ  ＲＳＲＰを含み、ＣｏＭＰ  ＲＳＲＱは以下のように計算されうる：  
ＣｏＭＰ  ＲＳＲＰ＝ｓｕｍ（ＲＳＲＰｉ）、  
ＣｏＭＰ  ＲＳＲＰ＝ＣｏＭＰ  ＲＳＲＰ／ＲＳＳＩ  
ここで、ｉは、ＣｏＭＰセットにおけるセルの数である。このアプローチに対する利点は、追加のＰＨＹチャンネルが測定に必要でないことでありうる。しかしながら、それは、必要な場合にＵＥが複数のセルを追跡するために要求されるので、サーチ周波数は、低減されないがセル再選択は、低減されうる。
【００９１】
（以上で記述されるように）一つのＣｏＭＰセルとして機能するマクロセルおよび接続されるＲＲＨからページを受信した後、ＵＥは、ランダムアクセスチャネル（ＲＡＣＨ）を使用することによって論理サービングセルを識別し、論理サービングセルにアクセスしうる（つまり、ユニキャスト動作に戻る）。１つのアプローチに従って、（以上で記述されるように）ページを成功裏に復号するとすぐに、ＵＥは、新規の論理サービングセルになる最強のメンバセルをサーチし、獲得しうる。したがって、ページを受信するとすぐに、ＵＥは、最強のメンバセルにアクセスするためにＲＡＣＨを使用することによって、ユニキャスト動作に戻りうる。ＲＡＣＨは、最強のメンバセルのようなセルのうちの１つの構成に基づきうる。このセルは、現在の（例えば、リリース１０）プロシージャに従う、アクセスに使用されうる。
【００９２】
別のアプローチに従って、ページを成功裏に復号するとすぐに、ＵＥは、共通リソース上のＲＡＣＨをサーチし、ＣｏＭＰ送信／受信を予想しうる。言いかえれば、最強のメンバセルをサーチするのではなく、ＵＥは、ＣｏＭＰセルを単一のアイデンティティと見なすことによってＣｏＭＰセル（つまりマクロセルおよび接続されるＲＲＨ）にアクセスするためにＲＡＣＨを使用しうる。ＲＡＣＨは、ＣｏＭＰセルの構成に基づきうる。このアプローチは、追加のＲＡＣＨ情報があらゆるセルにブロードキャストされることを要求しうる。ＵＥとＣｏＭＰセルとの間のいくつかの送信の後、ＭＳＧ（例えばＭＳＧ４）のうちの１つは、制御のための論理サービングセルのＵＥに通知するために使用されうる。したがって、ＵＥは、ＣｏＭＰセルにアクセスするためにＲＡＣＨを使用した後に、後の段階でユニキャスト動作に戻りうる。
【００９３】
以上で記述されるように、様々な強化は、異なるセルＩＤを有するＲＲＨ展開におけるＲＲＭに関するアドバンストＵＥのために提供されうる。別の例として、最初の獲得動作では（つまり、ＵＥが電源を入れるとすぐに）、ＵＥは、ＣｏＭＰ  ＩＤにリンクされた基準信号をモニタしうる。最初に、ＵＥは、最強のセルを獲得するリリース８プロシージャに従いうる。各メンバセルの（例えば、ＣｏＭＰセルの）システム情報ブロック（ＳＩＢ）は、モニタするためのいくつかのＰ−ＣＳＩ−ＲＳにリンクされる、ＣｏＭＰ  ＩＤを示す情報を含みうる。さらに、ＳＩＢは、Ｒ−ＰＤＣＣＨおよびＰ−ＲＮＴＩ構成のような、ページを読み取るためにダウンリンクパラメータを搬送しうる。アイドルモードに入るとすぐに、ＵＥは、Ｐ−ＣＳＩ−ＲＳポート上で送信された信号をモニタし始めうる（そして、ＣｏＭＰ  ＩＤおよびリンクされたＰ−ＣＳＩ−ＲＳポートに基づいて区別することができる）。セル再選択に関しては、ＣｏＭＰ領域が低下し始める場合、ＵＥは、ＣＲＳに基づく新規のセルをサーチしうる。イントラ周波数ランキングに関して、決定は、ＣＳＩ−ＲＳおよびＣＲＳに基づいて測定値をどのように比較するかに関して行われうる。厳密にセルをランク付けする必要がないので、異なるメトリクスがあり得る。
【００９４】
無線リンクモニタリング（ＲＬＭ）は、典型的に、ＰＤＣＣＨ送信上のＳＩＮＲの機能である。例えば、サービングセルのチャンネル品質がしきい値未満である場合、ＵＥは、別のサービングセルのために再選択処理を始めうる。しかしながら、ＲＬＭは、Ｒ−ＰＤＣＣＨ送信（例えば、Ｒ−ＰＤＣＣＨ送信がユニキャストである場合）にわたる制御に対して使用可能ではない。本開示のある態様に従って、ＲＬＭに関して、Ｒ−ＰＤＣＣＨが使用される場合、ＵＥは、Ｒ−ＰＤＣＣＨ信頼性をモニタしうる。ある態様に従って、ＲＬＭは、各ＵＥのために構成されたＲＲＣである、対応するＰ−ＣＳＩ−ＲＳに基づきうる。さらに、ＲＬＭは、実際のＲ−ＰＤＣＣＨ性能をもたらす、Ｒ−ＰＤＣＣＨ共通のサーチスペースのために構成されたＤＭ−ＲＳに基づきうる。
【００９５】
図１および図７を参照して、１つの構成において、ワイヤレス通信のための装置１００は、様々な方法を実行するための手段を含みうる。前述した手段は、前述した手段により規定された機能を実行するように構成されている処理システム１１４である。先に述べたように、処理システム１１４は、ＴＸプロセッサ７１６と、ＲＸプロセッサ７７０と、コントローラ／プロセッサ７７５とを含む。すなわち、１つの構成では、上記手段は、上記手段によって説明された機能を実行するように構成された、ＴＸプロセッサ７１６、ＲＸプロセッサ７７０、コントローラ／プロセッサ７７５であることができる。
【００９６】
１つの構成では、ワイヤレス通信のための装置１００は、様々な方法を実行するための手段を含む。前述した手段は、前述した手段により規定された機能を実行するように構成されている処理システム１１４である。先に述べたように、処理システム１１４は、ＴＸプロセッサ７６８と、ＲＸプロセッサ７５６と、コントローラ／プロセッサ７５９とを含む。すなわち、１つの構成では、上記手段は、上記手段によって説明された機能を実行するように構成された、ＴＸプロセッサ７６８、ＲＸプロセッサ７５６、コントローラ／プロセッサ７５９であることができる。
【００９７】
開示された処理のステップの特定の順序またが階層は、典型的なアプローチの説明であることが理解されるべきである。設計の選好に基づいて、処理におけるステップの順序または階層は再配置されうるということが理解されるべきである。添付の方法の請求項は、例示的な順序でさまざまなステップのエレメントを提示しているが、提示された特定の順序または階層に限定されることを意図するものではない。
【００９８】
前述の説明は、本明細書に説明される様々な態様を実践することを当業者に対して可能にするように提供される。これらの態様への様々な変更は当業者には容易に明らかになり、本明細書で定義される包括的な本質は他の態様に適用され得る。このように、特許請求の範囲は、本明細書において示された態様を限定するように意図されたものではなく、特許請求の範囲と矛盾しない最大範囲であると認められるべきである。ここにおいて、単数における要素の言及は、そうと明確に述べられない限りは「１つ及び１つだけ」を意味するのではなく、むしろ「１又は複数」を意味することが意図されている。そうではないと明確に述べられていない限り、用語「いくつか（some）」は１又は複数に当てはまる。当業者に対して既知である、あるいは後に既知となる本開示において説明された多様な態様の要素に対する全ての構造的及び機能的な均等物は、参照によって本明細書に明確に組み込まれ、請求項によって包含されるよう意図される。さらに、ここで開示したものが、特許請求の範囲中に明示的に列挙されているか否かにかかわらず、公共に捧げられることを意図していない。どの請求項の要素も、要素が「する手段」というフレーズを用いて明示的に列挙されない限り、または方法の請求項のケースでは、要素が「するステップ」というフレーズを用いて列挙されない限り、３５Ｕ．Ｓ．Ｃ．１１２条第６パラグラフの規定のもとで解釈されるべきではない。
以下に、本願出願の当初の特許請求の範囲に記載された発明を付記する。
［Ｃ１］
ワイヤレス通信のための方法であって、
複数のノードからの１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）を受信することと、
前記ＣｏＭＰ識別にリンクされた前記ＣＳＩ−ＲＳポート上で送信された信号をモニタすることと
を備える、方法。
［Ｃ２］
前記モニタすることは、アイドルモードに入った後に実行される、
Ｃ１に記載の方法。
［Ｃ３］
前記複数のノードは、異なるセル識別を有するリモート無線ヘッド（ＲＲＨ）を備える、
Ｃ１に記載の方法。
［Ｃ４］
前記モニタされた信号に基づいてＣｏＭＰ基準信号受信電力（ＲＳＲＰ）を決定することをさらに備える、
Ｃ１に記載の方法。
［Ｃ５］
前記ＣｏＭＰ  ＲＳＲＰの受信信号強度インジケータ（ＲＳＳＩ）に対する比として信号受信品質（ＲＳＲＱ）基準信号を計算することをさらに備える、
Ｃ１に記載の方法。
［Ｃ６］
前記複数のノードの各々から、ＣｏＭＰ送信の一部としてブロードキャストページング送信を受信することと、
前記ブロードキャストページング送信を受信した後に少なくとも１つのサービングセルにアクセスすることと
をさらに備える、Ｃ１に記載の方法。
［Ｃ７］
前記アクセスすることは、
前記少なくとも１つのサービングセルをサーチすることと、
前記少なくとも１つのサービングセルの構成されたチャネル上でランダムアクセスチャネル（ＲＡＣＨ）を送信することと
を備える、Ｃ６に記載の方法。
［Ｃ８］
前記ＲＡＣＨは、前記少なくとも１つのサービングセルの構成に基づく、
Ｃ７に記載の方法。
［Ｃ９］
前記アクセスすることは、前記複数のノードの構成に基づいてランダムアクセスチャネル（ＲＡＣＨ）を送信することを備える、
Ｃ６に記載の方法。
［Ｃ１０］
前記ＳＩＢは、ＣｏＭＰ送信またはユニキャスト送信を通じて受信される
Ｃ１に記載の方法。
［Ｃ１１］
前記ＳＩＢは、マスタ情報ブロック（ＭＩＢ）である、
Ｃ１に記載の方法。
［Ｃ１２］
ワイヤレス通信のための装置であって、
複数のノードからの１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）を受信するための論理と、
前記ＣｏＭＰ識別にリンクされた前記ＣＳＩ−ＲＳポート上で送信された信号をモニタするための論理と
を備える、装置。
［Ｃ１３］
前記モニタするための論理は、アイドルモードに入った後に実行される、
Ｃ１２に記載の装置。
［Ｃ１４］
前記複数のノードは、異なるセル識別を有するリモート無線ヘッド（ＲＲＨ）を備える、
Ｃ１２に記載の装置。
［Ｃ１５］
前記モニタされた信号に基づいてＣｏＭＰ基準信号受信電力（ＲＳＲＰ）を決定することをさらに備える、
Ｃ１２に記載の装置。
［Ｃ１６］
前記ＣｏＭＰ  ＲＳＲＰの受信信号強度インジケータ（ＲＳＳＩ）に対する比として信号受信品質（ＲＳＲＱ）基準信号を計算することをさらに備える、
Ｃ１２に記載の装置。
［Ｃ１７］
前記複数のノードの各々から、ＣｏＭＰ送信の一部としてブロードキャストページング送信を受信するための論理と、
前記ブロードキャストページング送信を受信した後に少なくとも１つのサービングセルにアクセスするための論理と
をさらに備える、Ｃ１２に記載の装置。
［Ｃ１８］
前記アクセスするための論理は、
前記少なくとも１つのサービングセルをサーチするための論理と、
前記少なくとも１つのサービングセルの構成されたチャネル上でランダムアクセスチャネル（ＲＡＣＨ）を送信するための論理と
を備える、Ｃ１７に記載の装置。
［Ｃ１９］
前記ＲＡＣＨは、前記少なくとも１つのサービングセルの構成に基づく、
Ｃ１８に記載の装置。
［Ｃ２０］
前記アクセスするための論理は、前記複数のノードの構成に基づいてランダムアクセスチャネル（ＲＡＣＨ）を送信するための論理を備える、
Ｃ１７に記載の装置。
［Ｃ２１］
前記ＳＩＢは、ＣｏＭＰ送信またはユニキャスト送信を通じて受信される
Ｃ１２に記載の装置。
［Ｃ２２］
前記ＳＩＢは、マスタ情報ブロック（ＭＩＢ）である、
Ｃ１２に記載の装置。
［Ｃ２３］
ワイヤレス通信のための装置であって、
複数のノードからの１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）を受信するための手段と、
前記ＣｏＭＰ識別にリンクされた前記ＣＳＩ−ＲＳポート上で送信された信号をモニタするための手段と
を備える、装置。
［Ｃ２４］
前記モニタすることは、アイドルモードに入った後に実行される、
Ｃ２３に記載の装置。
［Ｃ２５］
前記複数のノードは、異なるセル識別を有するリモート無線ヘッド（ＲＲＨ）を備える、
Ｃ２３に記載の装置。
［Ｃ２６］
前記モニタされた信号に基づいてＣｏＭＰ基準信号受信電力（ＲＳＲＰ）を決定するための手段をさらに備える、
Ｃ２３に記載の装置。
［Ｃ２７］
前記ＣｏＭＰ  ＲＳＲＰの受信信号強度インジケータ（ＲＳＳＩ）に対する比として信号受信品質（ＲＳＲＱ）基準信号を計算するための手段をさらに備える、
Ｃ２６に記載の装置。
［Ｃ２８］
前記複数のノードの各々から、ＣｏＭＰ送信の一部としてブロードキャストページング送信を受信するための手段と、
前記ブロードキャストページング送信を受信した後に少なくとも１つのサービングセルにアクセスするための手段と
を備える、Ｃ２３に記載の装置。
［Ｃ２９］
前記アクセスするための手段は、
前記少なくとも１つのサービングセルをサーチするための手段と、
前記少なくとも１つのサービングセルの構成されたチャネル上でランダムアクセスチャネル（ＲＡＣＨ）を送信するための手段と
を備える、Ｃ２８に記載の装置。
［Ｃ３０］
前記ＲＡＣＨは、前記少なくとも１つのサービングセルの構成に基づく、
Ｃ２９に記載の装置。
［Ｃ３１］
前記アクセスするための手段は、前記複数のノードの構成に基づいてランダムアクセスチャネル（ＲＡＣＨ）を送信するための手段を備える、
Ｃ２８に記載の装置。
［Ｃ３２］
前記ＳＩＢは、ＣｏＭＰ送信またはユニキャスト送信を通じて受信される、Ｃ２３に記載の装置。
［Ｃ３３］
前記ＳＩＢは、マスタ情報ブロック（ＭＩＢ）である、
Ｃ２３に記載の装置。
［Ｃ３４］
その上に命令を有するコンピュータ可読媒体を備える、ワイヤレス通信のためのコンピュータプログラム製品であって、前記命令は、１つまたは複数のプロセッサによって実行され、前記命令は、
複数のノードからの１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）を受信するための命令と、
前記ＣｏＭＰ識別にリンクされた前記ＣＳＩ−ＲＳポート上で送信された信号をモニタするための命令と
を備える、コンピュータプログラム製品。
［Ｃ３５］
前記モニタすることは、アイドルモードに入った後に実行される、
Ｃ３４に記載のコンピュータプログラム製品。
［Ｃ３６］
前記複数のノードは、異なるセル識別を有するリモート無線ヘッド（ＲＲＨ）を備える、
Ｃ３４に記載のコンピュータプログラム製品。
［Ｃ３７］
前記モニタされた信号に基づいてＣｏＭＰ基準信号受信電力（ＲＳＲＰ）を決定するための命令をさらに備える、
Ｃ３４に記載のコンピュータプログラム製品。
［Ｃ３８］
前記ＣｏＭＰ  ＲＳＲＰの受信信号強度インジケータ（ＲＳＳＩ）に対する比として信号受信品質（ＲＳＲＱ）基準信号を計算することをさらに備える、
Ｃ３７に記載のコンピュータプログラム製品。
［Ｃ３９］
前記複数のノードの各々から、ＣｏＭＰ送信の一部としてブロードキャストページング送信を受信するための命令と、
前記ブロードキャストページング送信を受信した後に少なくとも１つのサービングセルにアクセスするための命令と
を備える、Ｃ３４に記載のコンピュータプログラム製品。
［Ｃ４０］
前記少なくとも１つのサービングセルをサーチするための命令と、
前記少なくとも１つのサービングセルの構成されたチャネル上でランダムアクセスチャネル（ＲＡＣＨ）を送信するための命令と
をさらに備える、Ｃ３９に記載のコンピュータプログラム製品。
［Ｃ４１］
前記ＲＡＣＨは、前記少なくとも１つのサービングセルの構成に基づく、
Ｃ４０に記載のコンピュータプログラム製品。
［Ｃ４２］
前記アクセスするための命令は、前記複数のノードの構成に基づいてランダムアクセスチャネル（ＲＡＣＨ）を送信するための命令を備える、
Ｃ３９に記載のコンピュータプログラム製品。
［Ｃ４３］
前記ＳＩＢは、ＣｏＭＰ送信またはユニキャスト送信を通じて受信される
Ｃ３４に記載のコンピュータプログラム製品。
［Ｃ４４］
前記ＳＩＢは、マスタ情報ブロック（ＭＩＢ）である、
Ｃ３４に記載のコンピュータプログラム製品。
［Ｃ４５］
ワイヤレス通信のための方法であって、
複数のノードにリンクされたセル間協調（ＣｏＭＰ）識別のインジケーションを有するシステム情報ブロック（ＳＩＢ）を受信することと、
前記ＣｏＭＰ識別にリンクされた前記複数のノードの１つまたは複数のノードを検出することと、
前記１つまたは複数のノードの各々の基準信号受信電力（ＲＳＲＰ）を測定することと、
前記１つまたは複数のノードの各々の前記測定されたＲＳＲＰに基づいてＣｏＭＰ  ＲＳＲＰを決定することと
を備える、方法。
［Ｃ４６］
前記ＣｏＭＰ  ＲＳＲＰの受信された信号強度インジケータ（ＲＳＳＩ）に対する比としてＣｏＭＰ基準信号受信品質（ＲＳＲＱ）を計算することをさらに備える、Ｃ４５に記載の方法。
［Ｃ４７］
前記ＳＩＢは、マスタ情報ブロック（ＭＩＢ）である、
Ｃ４５に記載の方法。
［Ｃ４８］
ワイヤレス通信のための装置であって、
複数のノードにリンクされたセル間協調（ＣｏＭＰ）識別のインジケーションを有するシステム情報ブロック（ＳＩＢ）を受信するための論理と、
前記ＣｏＭＰ識別にリンクされた前記複数のノードの１つまたは複数のノードを検出するための論理と、
前記１つまたは複数のノードの各々の基準信号受信電力（ＲＳＲＰ）を測定するための論理と、
前記１つまたは複数のノードの各々の前記測定されたＲＳＲＰに基づいてＣｏＭＰ  ＲＳＲＰを決定するための論理と
を備える、装置。
［Ｃ４９］
前記ＣｏＭＰ  ＲＳＲＰの受信された信号強度インジケータ（ＲＳＳＩ）に対する比としてＣｏＭＰ基準信号受信品質（ＲＳＲＱ）を計算するための論理をさらに備える、Ｃ４８に記載の装置。
［Ｃ５０］
前記ＳＩＢは、マスタ情報ブロック（ＭＩＢ）である、
Ｃ４８に記載の装置。
［Ｃ５１］
ワイヤレス通信のための装置であって、
複数のノードにリンクされたセル間協調（ＣｏＭＰ）識別のインジケーションを有するシステム情報ブロック（ＳＩＢ）を受信するための手段と、
前記ＣｏＭＰ識別にリンクされた前記複数のノードの１つまたは複数のノードを検出するための手段と、
前記１つまたは複数のノードの各々の基準信号受信電力（ＲＳＲＰ）を測定するための手段と、
前記１つまたは複数のノードの各々の前記測定されたＲＳＲＰに基づいてＣｏＭＰ  ＲＳＲＰを決定するための手段と
を備える、装置。
［Ｃ５２］
前記ＣｏＭＰ  ＲＳＲＰの受信された信号強度インジケータ（ＲＳＳＩ）に対する比としてＣｏＭＰ基準信号受信品質（ＲＳＲＱ）を計算するための手段をさらに備える、Ｃ５１に記載の装置。
［Ｃ５３］
前記ＳＩＢは、マスタ情報ブロック（ＭＩＢ）である、
Ｃ５１に記載の装置。
［Ｃ５４］
その上に命令を有するコンピュータ可読媒体を備える、ワイヤレス通信のためのコンピュータプログラム製品であって、前記命令は、１つまたは複数のプロセッサによって実行され、前記命令は、
複数のノードにリンクされたセル間協調（ＣｏＭＰ）識別のインジケーションを有するシステム情報ブロック（ＳＩＢ）を受信するための命令と、
前記ＣｏＭＰ識別にリンクされた前記複数のノードの１つまたは複数のノードを検出するための命令と、
前記１つまたは複数のノードの各々の基準信号受信電力（ＲＳＲＰ）を測定するための命令と、
前記１つまたは複数のノードの各々の前記測定されたＲＳＲＰに基づいてＣｏＭＰ  ＲＳＲＰを決定するための命令と
を備える、コンピュータプログラム製品。
［Ｃ５５］
前記ＣｏＭＰ  ＲＳＲＰの受信された信号強度インジケータ（ＲＳＳＩ）に対する比としてＣｏＭＰ基準信号受信品質（ＲＳＲＱ）を計算するための命令をさらに備える、Ｃ５４に記載のコンピュータプログラム製品。
［Ｃ５６］
前記ＳＩＢは、マスタ情報ブロック（ＭＩＢ）である、
Ｃ５４に記載のコンピュータプログラム製品。
［Ｃ５７］
ワイヤレス通信のための方法であって、
ワイヤレスノードが、１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）を送信することと、
前記リンクされたＣＳＩ−ＲＳポート上で信号を送信することと
を備える、方法。
［Ｃ５８］
ワイヤレス通信が、他のワイヤレスノードと強調されたＣｏＭＰ送信の一部としてのブロードキャストページング送信を送信することをさらに備える、
Ｃ５７に記載の方法。
［Ｃ５９］
前記ＣｏＭＰ送信は、単一周波数ネットワーク（ＳＦＮ）送信である、
Ｃ５８に記載の方法。
［Ｃ６０］
前記ブロードキャストページング送信は、復調基準信号（ＤＭ−ＲＳ）に基づいて送信される、
Ｃ５８に記載の方法。
［Ｃ６１］
前記ワイヤレスのノードは、異なるセル識別を有するリモート無線ヘッド（ＲＲＨ）を備える、
Ｃ５８に記載の方法。
［Ｃ６２］
前記ブロードキャストページング送信を送信するとすぐに、前記ワイヤレスノードの構成されたチャネル上で受信されたランダムアクセスチャネル（ＲＡＣＨ）を処理することをさらに備える、
Ｃ５８に記載の方法。
［Ｃ６３］
ワイヤレス通信のための装置であって、
ワイヤレスノードが、１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）を送信するための論理と、
前記リンクされたＣＳＩ−ＲＳポート上で信号を送信するための論理と
を備える、装置。
［Ｃ６４］
ワイヤレス通信が、他のワイヤレスノードと強調されたＣｏＭＰ送信の一部としてのブロードキャストページング送信を送信するための論理を備える、
Ｃ６３に記載の装置。
［Ｃ６５］
前記ＣｏＭＰ送信は、単一周波数ネットワーク（ＳＦＮ）送信である、
Ｃ６４に記載の装置。
［Ｃ６６］
前記ブロードキャストページング送信は、復調基準信号（ＤＭ−ＲＳ）に基づいて送信される、
Ｃ６４に記載の装置。
［Ｃ６７］
前記ワイヤレスのノードは、異なるセル識別を有するリモート無線ヘッド（ＲＲＨ）を備える、
Ｃ６４に記載の装置。
［Ｃ６８］
前記ブロードキャストページング送信を送信するとすぐに、前記ワイヤレスノードの構成されたチャネル上で受信されたランダムアクセスチャネル（ＲＡＣＨ）を処理するための論理をさらに備える、
Ｃ６４に記載の装置。
［Ｃ６９］
ワイヤレスノードが、１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）を送信するための手段と、
前記リンクされたＣＳＩ−ＲＳポート上で信号を送信するための手段と
を備える、装置。
［Ｃ７０］
ワイヤレス通信が、他のワイヤレスノードと強調されたＣｏＭＰ送信の一部としてのブロードキャストページング送信を送信するための手段をさらに備える、
Ｃ６９に記載の装置。
［Ｃ７１］
前記ＣｏＭＰ送信は、単一周波数ネットワーク（ＳＦＮ）送信である、
Ｃ７０に記載の装置。
［Ｃ７２］
前記ブロードキャストページング送信は、復調基準信号（ＤＭ−ＲＳ）に基づいて送信される、
Ｃ７０に記載の装置。
［Ｃ７３］
前記ワイヤレスのノードは、異なるセル識別を有するリモート無線ヘッド（ＲＲＨ）を備える、
Ｃ７０に記載の装置。
［Ｃ７４］
前記ブロードキャストページング送信を送信するとすぐに、前記ワイヤレスノードの構成されたチャネル上で受信されたランダムアクセスチャネル（ＲＡＣＨ）を処理するための手段をさらに備える、
Ｃ７０に記載の装置。
［Ｃ７５］
その上に命令を有するコンピュータ可読媒体を備える、ワイヤレス通信のためのコンピュータプログラム製品であって、前記命令は、１つまたは複数のプロセッサによって実行され、前記命令は、
ワイヤレスノードが、１つまたは複数のチャネル状態情報基準信号（ＣＳＩ−ＲＳ）ポートにリンクされたセル間協調（ＣｏＭＰ）識別のインジケーションを有するシステム情報ブロック（ＳＩＢ）を送信するための命令と、
前記リンクされたＣＳＩ−ＲＳポート上で信号を送信するための命令と
を備える、コンピュータプログラム製品。
［Ｃ７６］
ワイヤレス通信が、他のワイヤレスノードと強調されたＣｏＭＰ送信の一部としてのブロードキャストページング送信を送信するための命令をさらに備える、
Ｃ７５に記載のコンピュータプログラム製品。
［Ｃ７７］
前記ＣｏＭＰ送信は、単一周波数ネットワーク（ＳＦＮ）送信である、
Ｃ７６に記載のコンピュータプログラム製品。
［Ｃ７８］
前記ブロードキャストページング送信は、復調基準信号（ＤＭ−ＲＳ）に基づいて送信される、
Ｃ７６に記載のコンピュータプログラム製品。
［Ｃ７９］
前記ワイヤレスのノードは、異なるセル識別を有するリモート無線ヘッド（ＲＲＨ）を備える、
Ｃ７６に記載のコンピュータプログラム製品。
［Ｃ８０］
前記ブロードキャストページング送信を送信するとすぐに、前記ワイヤレスノードの構成されたチャネル上で受信されたランダムアクセスチャネル（ＲＡＣＨ）を処理するための命令をさらに備える、
Ｃ７６に記載のコンピュータプログラム製品。
【図１】
0005801420.tif 000002
【図２】
0005801420.tif 000003
【図３】
0005801420.tif 000004
【図４】
0005801420.tif 000005
【図５】
0005801420.tif 000006
【図６】
0005801420.tif 000007
【図７】
0005801420.tif 000008
【図８】
0005801420.tif 000009
【図９】
0005801420.tif 000010
【図９Ａ】
0005801420.tif 000011
【図１０】
0005801420.tif 000012
【図１０Ａ】
0005801420.tif 000013
【図１１】
0005801420.tif 000014
【図１１Ａ】
0005801420.tif 000015